(57)【要約】  実施形態によれば、サービス提供システムは、第１ユーザの身に着けられた、または、前記第１ユーザの保持物に設けられた第１センサで検出された第１データの少なくとも一部を、前記第１ユーザの識別情報に紐付けられた第１コンテクスト情報として蓄積する。サービス提供システムは、前記蓄積された前記第１コンテクスト情報の第１集合体を基にした第１サービスを前記第１ユーザに提供する。
2016143800.tif 000002
【特許請求の範囲】
【請求項１】
第１ユーザの身に着けられた、または、前記第１ユーザの保持物に設けられた第１センサで検出された第１データの少なくとも一部を、前記第１ユーザの識別情報に紐付けられた第１コンテクスト情報として蓄積し、
前記蓄積された前記第１コンテクスト情報の第１集合体を基にした第１サービスを前記第１ユーザに提供する、サービス提供システム。
【請求項２】
複数の前記第１コンテクスト情報を蓄積し、
前記蓄積された前記複数の第１コンテクスト情報の前記第１集合体を基に、前記第１ユーザの特性を推定し、
前記第１ユーザの前記特性を基にして前記第１サービスを定める、請求項１記載のサービス提供システム。
【請求項３】
第２ユーザの身に着けられた、または、前記第２ユーザの保持物に設けられた第２センサで検出された複数の第２データの少なくとも一部を、前記第２ユーザの識別情報に紐付けられた複数の第２コンテクスト情報として蓄積し、
前記蓄積された前記複数の第２コンテクスト情報の第２集合体を基に、前記第２ユーザの特性を推定し、
前記推定された前記第２ユーザの前記特性と、前記推定された前記第１ユーザの前記特性と、の差が基準よりも小さいときに、前記第１データの前記少なくとも一部に基づく第２サービスを前記第２ユーザに提供する、請求項２記載のサービス提供システム。
【請求項４】
前記第２サービスの前記第２ユーザへの提供は、前記第１ユーザの前記第１ユーザの個人情報を含まないで行われる、請求項３記載のサービス提供システム。
【請求項５】
前記第１センサは、前記第１ユーザがイベントに参加しているときの、前記第１ユーザの身体の動き、前記第１ユーザの状態、及び、前記第１ユーザの声、の少なくともいずれかを検出する、請求項１記載のサービス提供システム。
【請求項６】
前記第１ユーザの保持物は、発光装置、旗状体、団扇状体、布状体、拡声器、マイクロフォン、腕輪、首輪、時計、指輪、眼鏡、衣服、靴、手袋、帽子、ヘッドホン、イヤホン、補聴器、アクセサリ、及び、スポーツ用具の少なくともいずれかを含む、請求項５記載のサービス提供システム。
【請求項７】
前記第１サービスは、
前記イベントに関する画像情報、
前記イベントに関する映像情報、
前記イベントに関する音楽情報、及び
前記イベントに関する音声情報
の少なくともいずれかを含む、請求項５記載のサービス提供システム。
【請求項８】
前記第１データを、評価項目に基づいて評価し、
前記評価の結果に基づいて前記第１サービスを変更し、
前記評価項目は、第１関連度と、第２関連度と、を含み、
前記第１関連度は、前記イベントで提供される、音楽及び映像の少なくともいずれかを含む提供情報と、前記第１データと、の間の相関を含み、
前記第２関連度は、前記イベントに参加する第２ユーザの、前記イベントに関する行動に関する第２データと、前記第１データと、の間の相関を含む、請求項５記載のサービス提供システム。
【請求項９】
前記第１コンテクスト情報を、評価項目に基づいて評価し、
前記評価の結果に基づいて前記第１サービスを変更する、請求項１記載のサービス提供システム。
【請求項１０】
前記第１サービスは、
前記第１コンテクスト情報に基づいて作成された第１画像情報、
前記評価の前記結果に基づいて作成された第２画像情報、
の少なくともいずれかを含む、請求項９記載のサービス提供システム。
【請求項１１】
前記第１サービスの前記第１ユーザへの前記提供は、
前記第１ユーザに提供される情報への前記第１ユーザによるアクセスを可能にすることを含む、請求項１記載のサービス提供システム。
【請求項１２】
イベントに参加する第１参加者に保持され、前記イベントに前記第１参加者が参加しているときの、前記第１参加者の第１身体の動き、前記第１身体の状態、及び、前記第１参加者の声、の少なくともいずれかを検出する第１センサと、
前記検出した結果を送信し前記結果に基づいた第１サービスを受信して前記第１サービスを前記第１参加者に提供する第１通信部と、
を備えたサービス提供装置。
【請求項１３】
イベントに参加する第１参加者に保持され、前記イベントに前記第１参加者が参加しているときの、前記第１参加者の第１身体の動き、前記第１身体の状態、及び、前記第１参加者の声、の少なくともいずれかを検出する第１センサと、
前記検出した結果に基づいた第１サービスを前記第１参加者に提供する提供部と、
を備えたサービス提供装置。
【請求項１４】
イベントに参加しているときの第１参加者の第１身体の動き、前記第１身体の状態、及び、前記第１参加者の声、の少なくともいずれかを含み、前記第１参加者の画像データ、及び、前記第１参加者の声データから検出された前記第１参加者の第１行動情報に基づいて、前記第１参加者に保持される保持物に設けられた記憶部にアクセス制限状態で記憶された第１サービスに関する情報のアクセス許可信号を、前記第１参加者に提供する提供部を備えた、サービス提供装置。
【請求項１５】
ニックネームを入手し、
前記ニックネームに対応するユーザに提供された第１サービスの第１サービス認識情報と、前記ユーザが前記第１サービスに関して行った第１行動情報と、を含む第１セット情報を前記ニックネームと関連づけて保存するデータ構築方法。
【請求項１６】
前記ユーザに提供された第２サービスの第２サービス認識情報と、前記ユーザが前記第２サービスに関して行った第２行動情報と、を含む第２セット情報を前記ニックネームと関連づけてさらに保存する請求項１５記載のデータ構築方法。
【請求項１７】
前記第１サービスは、前記ユーザが参加可能な第１イベントを含む、請求項１５記載のデータ構築方法。
【請求項１８】
前記第１行動情報は、前記ユーザが入手し前記第１サービスに関する物品に関する物品情報を含む、請求項１７記載のデータ構築方法。
【請求項１９】
前記第１行動情報は、前記ユーザが前記第１イベントに参加しているときの、前記ユーザの身体の動き、前記ユーザの状態、及び、前記ユーザの声、の少なくともいずれかに関する情報を含む、請求項１７記載のデータ構築方法。
【請求項２０】
前記ニックネームは、前記ユーザの個人情報を含まない、請求項１５記載のデータ構築方法。
【発明の詳細な説明】
【技術分野】
【０００１】
本発明の実施形態は、サービス提供システム、サービス提供装置及びデータ構築方法に関する。
【背景技術】
【０００２】
ユーザに情報などを含むサービスを提供するサービス提供システム（ネットワークシステム）がある。楽しさをより提供することが望まれる。
【先行技術文献】
【特許文献】
【０００３】
【特許文献１】特開２０１３−５０８２４公報
【特許文献２】特開２０１４−２１１６７７号公報
【発明の概要】
【発明が解決しようとする課題】
【０００４】
本発明の実施形態は、楽しさをより提供できるサービス提供システム、サービス提供装置及びデータ構築方法を提供する。
【課題を解決するための手段】
【０００５】
本発明の実施形態によれば、サービス提供システムは、第１ユーザの身に着けられた、または、前記第１ユーザの保持物に設けられた第１センサで検出された第１データの少なくとも一部を、前記第１ユーザの識別情報に紐付けられた第１コンテクスト情報として蓄積する。サービス提供システムは、前記蓄積された前記第１コンテクスト情報の第１集合体を基にした第１サービスを前記第１ユーザに提供する。
【図面の簡単な説明】
【０００６】
【図１】第１の実施形態に係るサービス提供システムを例示する模式図である。
【図２】第１の実施形態に係るサービス提供システムを例示する模式図である。
【図３】第１の実施形態に係るサービス提供システムを例示する模式図である。
【図４】図４（ａ）〜図４（ｄ）は、第１の実施形態に係るサービス提供システムを例示する模式図である。
【図５】第１の実施形態に係るサービス提供システムを例示する模式図である。
【図６】第１の実施形態に係るサービス提供システムを例示する模式図である。
【図７】第２の実施形態に係るサービス提供システムを例示する模式図である。
【図８】第２の実施形態に係るサービス提供システムの動作を例示するフローチャート図である。
【図９】図９（ａ）〜図９（ｃ）は、第２の実施形態に係るサービス提供システムを例示する模式図である。
【図１０】第２の実施形態に係るサービス提供システムを例示する模式図である。
【図１１】第２の実施形態に係る別のサービス提供システムを例示する模式図である。
【図１２】第２の実施形態に係るサービス提供システムを例示する模式図である。
【図１３】第４の実施形態に係るサービス提供装置を例示する模式図である。
【図１４】第５の実施形態に係るサービス提供装置を例示する模式図である。
【図１５】第６の実施形態に係るサービス提供装置を例示する模式図である。
【図１６】第７の実施形態に係るデータ構築方法を例示する模式図である。
【発明を実施するための形態】
【０００７】
以下に、本発明の各実施の形態について図面を参照しつつ説明する。  
なお、本願明細書と各図において、既出の図に関して前述したものと同様の要素には同一の符号を付して詳細な説明は適宜省略する。
【０００８】
（第１の実施形態）  
図１は、第１の実施形態に係るサービス提供システムを例示する模式図である。  
図１に示すように、第１の実施形態に係るサービス提供システム５１０においては、ユーザ３８０（例えば第１ユーザ３８１）に関するデータが、センシングデバイス３１０により収集される。
【０００９】
センシングデバイス３１０は、例えば、ユーザ３８０が持つグッズ３００などに設けられる。センシングデバイス３１０は、例えば、ユーザ３１０の身に着けられても良い。センシングデバイス３１０は、ユーザ３１０に保持された保持物（グッズ３００）に設けられても良い。保持物は、例えば、イベントの応援のために用いられる。後述するように、保持物は、例えば、発光装置、旗状体、団扇状体、布状体、拡声器、マイクロフォン、腕輪、首輪、時計、指輪、眼鏡、衣服、靴、手袋、帽子、ヘッドホン、イヤホン、補聴器、アクセサリ、及び、スポーツ用具の少なくともいずれかを含む。
【００１０】
センシングデバイス３１０は、例えばセンサである。センシングデバイス３１０は、例えば、ユーザ３８０の身体の状態を検出する。ユーザ３８０の身体の状態は、ユーザ３８０の身体の動き（例えば手足などの動き）、身体の姿勢、声、視線、血圧及び脈拍などを含む。センシングデバイス３１０により検出された状態は、ユーザ３８０の行動と関係があっても良い。センシングデバイス３１０は、例えば、ユーザ３８０の身体の動きに連動するグッズ３００の動きを検出しても良い。センシングデバイス３１０で検出された状態に関する情報は、クラウド３５０に提供される。例えば、検出されたデータは、管理アプリケーションソフトウエア３６０を介して、例えば、クラウド３５０のクラウドサーバ３５１に提供される。
【００１１】
クラウドサーバ３５１に提供された情報に基づいて、例えば、ユーザ３８０にサービスが提供される。このサービスは、ユーザ３８０の特性（例えば好み）に基づいて行われても良い。ユーザ３８０の特性（例えば好み）は、例えば、センシングデバイス３１０により検出されたユーザ３８０の状態から推定される。
【００１２】
実施形態において、センシングデバイス３１０がユーザ３８０の身体の状態を検出するときに、ユーザ３８０はイベントに参加していても良い。例えば、ユーザ３８０は、複数のイベントに参加する。例えば、複数のイベントのそれぞれに、イベントＩＤ（Event ID 0001〜）が設けられても良い。例えば、ユーザ３８０の、それぞれのイベントに関するデータが取得され、蓄積される。例えば、ユーザ３８０は、センシングデバイス３１０が設けられたグッズ３００を持って、イベントに参加する。センシングデバイス３１０により、イベント中におけるユーザ３８０の状態が検出される。ユーザ３８０は、イベントに出演するパフォーマ３８５の応援者である。
【００１３】
第１の実施形態においては、ユーザ３８０に対応して、「ペルソナ」（例えばニックネーム）が設けられる。「ペルソナ」は、複数のユーザ３８０のそれぞれに対応して設けられる。例えば、「ペルソナ」は、ユーザ３８０の個人情報を含まなくても良い。「ペルソナ」を用いることで、ユーザ３８０の個人情報を伴わないで、ユーザ３８０の特性に関するデータがクラウドサーバ３５１に提供される。
【００１４】
このように、第１センサ（センシングデバイス３１０）が、ユーザ３８０（第１ユーザ３８１）の身に着けられる。または、第１センサが、ユーザ３８０（第１ユーザ３８１）の保持物（グッズ３００など）に設けられる。第１センサで検出された第１データの少なくとも一部が、蓄積される。この蓄積は、例えば、サーバで行われる。サーバは、例えば、クラウドサーバ３５１である。ユーザ３８０（第１ユーザ３８１）の識別情報に紐付けられた第１コンテクスト情報として、上記の蓄積が行われる。この蓄積において、ユーザ３８０の識別情報に紐付けられた例えば「ペルソナ」が用いられる。例えば、第１コンテクスト情報は、第１ユーザ３８１の特性（例えば好み）に関する情報を含む。
【００１５】
例えば、ユーザ３８０は、そのユーザ３８０が持っているグッズ３００を特定できる。一方、そのユーザ３８０を除く他の人(例えば第２ユーザ３８２）は、そのグッズ３００を持っている人を特定できなくても良い。
【００１６】
例えば、ユーザ３８０（例えば第１ユーザ３８１）の特性（例えば好み）に関するデータ（例えば第１コンテクスト情報）が、例えば、個人情報を伴わないで、蓄積される。例えば、クラウドサーバ３５１には、複数のユーザ３８０のそれぞれの特性（例えば好み）に関するデータが、例えば、個人情報を特定せずに、蓄積される。ファン（ユーザ３８０）の特性（例えば好み）に関するデータを蓄積した「ペルソナ」が、プラットフォーム上に生成される。
【００１７】
蓄積された第１コンテクスト情報の第１集合体（例えば上記の「ペルソナ」）を基にした第１サービスが、そのユーザ３８０（第１ユーザ３８１）に提供される。例えば、第１コンテクスト情報の第１集合体（例えば「ペルソナ」）は、複数の第１コンテクスト情報を含む。蓄積された複数の第１コンテクスト情報の第１集合体を基に、第１ユーザ３８１の特性（例えば好み）が推定される。推定された第１ユーザ３８１の特性（例えば好み）を基にして第１サービスが定められ。この第１サービスが、第１ユーザ３８１に提供される。
【００１８】
蓄積された複数の第１コンクスト情報の第１集合体から推定された特性（例えば好み）に基づいた第１サービスが提供されるため、第１サービスは、第１ユーザ３８１に楽しさをより提供できる。
【００１９】
このように、実施形態においては、第１ユーザ３８１の第１センサで検出された第１ユーザ３８１に関する第１データが、識別情報に紐付けられた第１コンテクスト情報として蓄積される。この第１コンテクスト情報は、第１ユーザ３８１の体験情報に対応する。そして、第１コンテクスト情報の第１集合体として、例えば「ペルソナ」が形成される。その第１集合体（例えば「ペルソナ」）を基にした第１サービスが、第１ユーザ３８１に提供される。この第１サービスが、第１ユーザ３８１の体験に影響を与えていく。
【００２０】
さらに、第１の実施形態において、センシングデバイス３１０により検出された第１ユーザ３８１に関する第１データに基づく第２サービスが、クラウドサーバ３５１から、他のユーザ３８０（第２ユーザ３８２）に提供されても良い。
【００２１】
例えば、第２ユーザ３８２は、第１ユーザ３８１と類似の特性（例えば好み）を有する。例えば、第１ユーザ３８１の特性（例えば好み）と、第２ユーザ３８２の特性（例えば好み）と、は、互いに類似性を有する。第１ユーザ３８１及び第２ユーザ３８２は、例えば、同じコミュニティに属する。同じコミュニティに属する第２ユーザ３８２に、第１ユーザ３８１に関する情報が提供される。
【００２２】
例えば、第２ユーザ３８２の特性（例えば好み）が、第１ユーザ３８１と同様にして推定される。例えば、第２ユーザ３８２についても、第１ユーザ３８１と同様に、第２ユーザ３８２の「ペルソナ」が作成される。例えば、第２センサが、第２ユーザ３８２の身に着けられる。または、第２センサが、第２ユーザ３８２の保持物に設けられる。この第２センサで検出された複数の第２データの少なくとも一部が、第２ユーザ３８２の識別情報に紐付けられた複数の第２コンテクスト情報として蓄積される。蓄積は、例えば、クラウドサーバ３５１において行われる。蓄積された複数の第２コンテクスト情報の第２集合体（第２ユーザ３８２の「ペルソナ」）を基に、第２ユーザ３８２の特性（例えば好み）が推定される。そして、推定された第２ユーザ３８２の特性（例えば好み）と、推定された第１ユーザ３８１の特性（例えば好み）と、の差が基準よりも小さいときに、第１データの少なくとも一部に基づく第２サービスが第２ユーザ３８２に提供される。
【００２３】
例えば、特定のコミュニティに特有の特性が反映されたデータが、クラウドサーバ３５１に蓄積される。特定のコミュニティは、複数のユーザ３８０を含む。クラウドサーバ３５１を利用するユーザ３８０は、例えば、自分の特性に合ったコミュニティにおいて、より楽しい情報交換ができる。
【００２４】
第１の実施形態においては、センシングデバイス３１０により検出された第１ユーザ３８１に関するデータは、例えば、第１ユーザ３８１の個人情報を伴わないで、第２ユーザ３８２に提供される。
【００２５】
これに対して、参考例の情報交換方法においては、個人情報を含むデータが登録される。この場合には、個人が特定されるため、プライバシーの侵害の問題が生じやすい。これに対して、個人情報を伴わないデータの提供により、この問題の発生が抑制できる。これにより、第１の実施形態に係るサービス提供システム５１０におけるユーザ３８０の安全性が向上する。サービス提供システムのユーザが増える。
【００２６】
実施形態において、例えば、センシングデバイス３１０により検出された第１ユーザ３８１に関するデータは、第１ユーザ３８１の個人情報を伴わないで、クラウドサーバ３５１に提供され、クラウドサーバ３５１に蓄積される。または、センシングデバイス３１０により検出された第１ユーザ３８１に関するデータは、第１ユーザ３８１の個人情報を伴って、クラウドサーバ３５１に提供され、クラウドサーバ３５１に蓄積されても良い。ただし、第１ユーザ３８１に関する情報の少なくとも一部を第２ユーザ３８２に提供する際には、第１ユーザ３８１の個人情報は、第２ユーザ３８２に提供されない。
【００２７】
第１の実施形態においては、ユーザ３８０（イベントの参加者など）の個人情報を取得しないで、そのユーザ３８０の特性により近いユーザ象が生成できる。ユーザ３８０は、イベントＩＤの組み合わせで、自分を表現できる。
【００２８】
第１の実施形態においては、センシングデバイス３１０によりユーザ３８０の感動体験ＵＸ（User Experience）が検出される。感動体験ＵＸに関するデータが、例えばクラウド３５０のクラウドサーバ３５１に提供される。以下、第１の実施形態における感動体験ＵＸの例について説明する。
【００２９】
図２は、第１の実施形態に係るサービス提供システムを例示する模式図である。  
図２に示すように、第１の実施形態において、現実ＵＸ３６１及び仮想ＵＸ３６２が設けられる。現実ＵＸ３６１は、例えば複数のユーザ３８０（第１〜第３ユーザ３８１〜３８３など）と、提供者３７０と、を含む。提供者３７０は、情報（サービスを含んでも良い）を複数のユーザ３８０に提供する。複数のユーザ３８０のそれぞれは、例えば、イベントを楽しむ（ステップＳＴ０１）。
【００３０】
イベント中において、センシングデバイス３１０を含むグッズ３００により、それぞれのユーザ３８０の状態が検出される。すなわち、感動体験ＵＸのデータ化が行われる（ステップＳＴ０２)。検出された状態は、感動体験ＵＸの少なくとも一部となる。センシングデバイス３１０を含むグッズ３００は、物「Ｔ：Things」に対応する。イベント中において、特別な物３７５がユーザ３８０に提供されても良い。特別な物３７５の提供は、イベント中にセンシングデバイス３１０により検出された感動体験ＵＸのデータに基づいて行われても良い。
【００３１】
例えば、検出された感動体験ＵＸに関するデータが、仮想ＵＸ３６２のクラウド３５０に提供される。例えば、ユーザ３８０のそれぞれの感動体験ＵＸが可視化されて、ユーザ３８０のそれぞれに提供される。さらに、ユーザ３８０のそれぞれの感動体験ＵＸに応じた各種サービスが、ユーザ３８０のそれぞれに提供される。すなわち、ステップＳＴ０３が実施される。この場合、例えば、第１の実施形態に係るサービス提供システムに特有のアプリケーションソフトウエア３７６が用いられても良い。アプリケーションソフトウエア３７６は、例えば、提供者３７０から、ユーザ３８０のそれぞれに提供される。ユーザ３８０のそれぞれの感動体験ＵＸに応じた特別なアプリケーションソフトウエア３７７が提供されても良い。例えば、この特別なアプリケーションソフトウエア３７７は、暗号化されたデータの解除キーを含んでも良い。
【００３２】
クラウド３５０上に、複数のユーザ３８０のそれぞれに対応した「ペルソナＩＤ  ３８０ＩＤ」（第１〜第３ＩＤ  ３８１ＩＤ〜３８３ＩＤなど）が生成される。ペルソナＩＤ  ３８０ＩＤに対応して、複数のユーザ３８０のそれぞれの感動体験ＵＸが蓄積される（ステップＳＴ０４）。
【００３３】
このように、第１の実施形態においては、センシングデバイス３１０（物「Ｔ：Things」に対応）により、感動体験ＵＸが捉えられる。複数の感動体験ＵＸが、クラウド３５０により繋がれる。
【００３４】
上記のように、第１の実施形態に係るサービス提供システム５１０は、センシングデバイス３１０、及び、クラウド３５０に含まれるコンピュータを利用する。クラウド３５０において、ソーシャルネットワークサービスが活用される。サービス提供システム５１０は、センシングデバイス３１０を活用したハイコンテクスト・ソーシャルネットワークサービスを、ユーザ３８０に提供する。
【００３５】
類似のまたは同じ特性（例えば好み）を有する複数のユーザ３８０は、１つのコミュニティに含まれる。１つのコミュニティに含まれる複数のユーザ３８０は、例えば、類似のまたは同じ趣味を有する。１つのコミュニティに含まれる複数のユーザ３８０は、例えば、類似のまたは同じ特性（例えば好み）を有する。１つのコミュニティに含まれる複数のユーザ３８０は、例えば、類似のまたは同じ価値観を有する。
【００３６】
センシングデバイス３１０により、ユーザ３８０に特有の情報が取得される。ユーザ３８０に特有の情報は、そのユーザ３８０が属するコミュニティに特有である。
【００３７】
センシングデバイス３１０は、例えば、コミュニティに特有の物品（グッズ３００）に設けられる。コミュニティに特有の情報が、センシングデバイス３１０により取得される。ユーザは、例えば、コミュニティに特有の情報（データ）を利用しながら、情報交換ができる。例えば、複数のユーザ３８０が、ソーシャルネットワークサービスを介して会話しても良い。
【００３８】
同じ趣味を有する複数のユーザ３８０どうしで、あるテーマについて情報交換（例えば会話）することは、楽しい。そのテーマは、例えば、趣味に特有のテーマである。このテーマについて、例えば、異なる趣味を持つ人と会話しても楽しさは十分ではない。同じ趣味を持つ複数ユーザが、その趣味に特有のテーマに関して情報交換することが、楽しさに繋がる。このとき、複数のユーザのそれぞれが特定できなくても、情報交換することが楽しさに繋がる。
【００３９】
例えば、１人のユーザ３８０（第１ユーザ３８１）が「ゴルフでホールインワンを出した」という状況がある。参考例のソーシャルネットワークサービスにおいて、そのユーザは、記念写真や映像をコメントとともにネットワークに提供する。他のユーザは、これに対するコメントを提供する。この参考例においては、この情報交換（コミュニケーション）は、これで終了する。
【００４０】
第１の実施形態は、以下の例の情報交換を可能にする。「ゴルフでホールインワンを出した」という状況において、センシングデバイス３１０で検出されたデータが、クラウド３５０（ソーシャルネットワークサービス）に提供される。例えば、センシングデバイス３１０が、ゴルフのクラブ（保持物）に設けられる。センシングデバイス３１０は、例えば、ゴルフのクラブのスイングに関するデータを取得する。センシングデバイス３１０は、風向きなどに関するデータを取得しても良い。このようなデータは、「感動体験データ」である。「感動体験データ」は、例えば、複数のユーザ３８０どうしの間で、比較可能である。
【００４１】
例えば、ゴルフを趣味とする複数のユーザ３８０において、「感動体験データ」が共通に理解される。これらの複数のユーザ３８０は、そのデータの意味が分かる同じ特性（例えば好みなど）を持つ。このような複数のユーザ３８０は、１つのコミュニティに含まれる。このような複数のユーザ３８０の別の１人（第２ユーザ３８２）は、「感動体験データ」についての情報を提供（発信）できる。別の１人（第２ユーザ３８２）は、例えば、「そんな状況で？前の僕のスイングはこうだった。他の人はこうだよ。」と発信できる。「感動体験データ」により、「ゴルフでホールインワンを出した」という状況が、より深いコミュニケーションに発展する。この状況が、より深い共感に繋がる。
【００４２】
このように、上記の参考例においては、情報交換の内容が浅い。参考例においては、薄い会話に限定される。参考例においては、例えば広く薄い会話に繋がる。このため、十分な楽しさを得ることが困難である。
【００４３】
これに対して、第１の実施形態においては、情報交換の内容が深い。例えば、類似のまたは同じ特性（例えば好み）を有する複数のユーザ３８０の数は少ないかも知れない。しかし、深い内容の情報交換が可能である。例えば、狭く濃い会話が可能である。例えば、同じ価値観を持つ人たちにおいて、濃い会話が楽しめる。第１の実施形態によれば、従来にない楽しさが得られる。従来よりも楽しさが向上する。
【００４４】
第１の実施形態は、ユーザ３８０においての楽しさに着眼している。「類似のまたは同じ特性（例えば好み）」を有する複数のユーザ３８０の間で、その特性（例えば好み）に関して情報交換することが、楽しさの向上に繋がることが、着眼される。
【００４５】
第１の実施形態に係る上記の例では、類似のまたは同じ特性（例えば好み）を有する複数のユーザ３８０において、ゴルフが共通の趣味である。第１の実施形態において、趣味の種類は、任意である。例えば、特性（例えば好み）は、スポーツ（例えばスノーボードなどを含む）、コンサート、遊園地（テーマパーク）、ゲーム、玩具、食事、旅行、学園祭または結婚式を含む。
【００４６】
例えば、コンサートに、特定のパフォーマが出演する。ユーザ３８０は、例えば、その特定のパフォーマのファンでも良い。コンサートは、異なる場所または異なる日時に開催される複数の会を含んでも良い。この複数の会に、その特定のパフォーマが出演する。この特定のパフォーマが、複数のユーザ３８０における「類似のまたは同じ特性（例えば好み）」となる。または、特定のパフォーマに類似した別のパフォーマが、「類似のまたは同じ特性（例えば好み）」に含まれても良い。
【００４７】
センシングデバイス３１０で検出されたユーザ３８０に関するデータから、そのユーザ３８０の特性（例えば好み）が推定される。例えば、特性（例えば好み）についての複数の分類が設けられる。分類は、階層的でも良い。複数の分類は、例えば、音楽、趣味及びスポーツなどの分野を含む。例えば、スポーツの分野は、ゴルフ、野球、フットボールなどのサブ分野を含む。１つのサブ分野が、複数のグループ（例えば特定の野球チーム、特定の選手など）に分割されても良い。分野、サブ分野及びグループなどに特徴に関連する言葉または画像などの情報が設定される。設定された情報と、ユーザ３８０に関するデータから、そのユーザ３８０の特性（例えば好み）が定め（推定）られる。１人のユーザ３８０が、複数の特性（例えば好み）に対応しても良い。
【００４８】
第１ユーザ３８１の好み（例えば、スポーツの分野で、野球のサブ分野で、特定の選手のグループなど）に類似している好みを有しているユーザ３８０が、第２ユーザ３８２と判断される。例えば、第１ユーザ３８１の好みが、複数の評価パラメータで、数値として表現される。一方、第２ユーザ３８２の好みが、複数の評価パラメータで、数値として表現される。例えば、複数のパラメータのそれぞれにおいて、第１ユーザ３８１の数値と第２ユーザ３８２の数値との差（複数の差の値）が求められる。複数の差の値が処理される（例えば合計される）。例えば、複数の差の値の合計が小さいときに、これらのユーザ３８０が、同じ特性（例えば好み）を有すると判定される。
【００４９】
以下、第１の実施形態がコンサートに適用される例について説明する。この例では、センシングデバイス３１０によるユーザ３８０に関する情報の取得は、少なくともコンサートにおいて行われる。
【００５０】
図３は、第１の実施形態に係るサービス提供システムを例示する模式図である。  
図３に示すように、例えば、複数のユーザ３８０（第１ユーザ３８１及び第２ユーザ３８２など）が、イベント（この例ではコンサート）に参加する。これらのユーザ３８０は、コンサートにおいて、グッズ３００を使う。グッズ３００は、例えば、棒状の発光体や、腕輪や、旗などである。グッズ３００の例については後述する。これらのグッズ３００には、センシングデバイス３１０が設けられている。センシングデバイス３１０により、例えば、ユーザ３８０の身体の状態が検出される。検出された状態に関するデータ３８０ｄ（情報）が、クラウド３５０に提供される。
【００５１】
イベント終了後、複数のユーザ３８０（第１ユーザ３８１及び第２ユーザ３８２など）が互いに情報交換する。複数のユーザ３８０は、例えば、ソーシャルネットワークサービスにより情報交換しても良い。複数のユーザ３８０は、例えば、互いに会って、情報交換しても良い。
【００５２】
従来のソーシャルネットワークサービスにおいては、文章や音声や画像などにより感動が表現される。
【００５３】
第１の実施形態においては、少なくとも、センシングデバイス３１０により検出されたデータにより、感動が表現される。例えば、センシングデバイス３１０により検出されたデータは、イベント体験データとなる。センシングデバイス３１０により検出されたデータは、感動体験ＵＸ（User Experience）の少なくとも一部である。実施形態においては、文章や音声や画像などによる感動の表現に加えて、センシングデバイス３１０により検出されたデータにより、感動が表現できる。
【００５４】
このように、第１の実施形態においては、例えば、イベント時の感動が、グッズ３００に設けられたセンシングデバイス３１０により、検出される。ユーザ３８０の感動がデータ化される。ユーザ３８０の、データ化された感動に関して、複数のユーザ３８０の間で、情報交換が行われる。第１の実施形態は、ユーザ３８０の、データ化された感動に関しての情報交換の場を提供する。
【００５５】
１人のユーザ３８０の感動が、他のユーザ３８０に、より良く伝わる。これにより、濃密なコミュニケーションを実現することができる。第１の実施形態によれば、コミュニティに特有の「コアな」データが生成できる。
【００５６】
以下、第１の実施形態の例についてさらに説明する。  
図４（ａ）〜図４（ｄ）は、第１の実施形態に係るサービス提供システムを例示する模式図である。  
図４（ａ）に示すように、ユーザ３８０が例えばイベント（例えばコンサートなど）に参加する。イベントにおいて、ユーザ３８０はグッズ３００を持っている。グッズ３００には、センシングデバイス３１０が設けられている。センシングデバイス３１０により、イベントに参加しているときのユーザ３８０に関するデータ（経験値）が計測される。例えば、グッズ３００は、発光する。複数のユーザ３８０のそれぞれのグッズ３００が、複数のユーザ３８０のそれぞれにより操作される。複数のユーザ３８０のそれぞれの動きに合わせて輝く光が、グッズ３００から出射する。複数のユーザ３８０のそれぞれの思いが、パフォーマ３８５に届けられる。グッズ３００を介して、複数のユーザ３８０のそれぞれがパフォーマ３８５と繋がる。グッズ３００は、応援グッズである。グッズ３００は、ファンの感情を表現する。
【００５７】
図４（ｂ）に示すように、イベントにパフォーマ３８５が出演する。パフォーマ３８５は、例えば「アイドル」である。イベントに参加したユーザ３８０は、パフォーマ３８５に触れたいと望む。例えば、パフォーマ３８５から出射される光が、ユーザ３８０と繋がる。複数のユーザ３８０のそれぞれに、パフォーマ３８５から出射される光が届く。
【００５８】
図４（ｃ）に示すように、イベントに参加しているユーザ３８０が、感動したシーンを撮影する。撮影された画像が、例えば、ソーシャルネットワークサービスに供給される。画像が、例えば、商品３２３（例えばポスターなど）に適用される。ユーザ３８０が感動したシーンが商品３２３などに適用されることで、ユーザ３８０の楽しさが増加する。
【００５９】
図４（ｄ）に示すように、イベントの後に、複数のユーザ３８０が情報を交換する。イベントでの楽しい想い出が振り返られる。複数のユーザ３８０において、想い出が共有される。複数のユーザ３８０の間で、感動を伝えたいという望みが実現される。
【００６０】
第１の実施形態においては、例えば、感動を体験した人の本質的欲求が着目される。例えば、人は感動すると、他の人に語りたくなる。人は感動すると、感動を記録したくなる。人は、できるだけ全ての記録を望む。例えば、人は、感動を仲間とともに高めたいと望む。第１の実施形態により、このような本質的欲求の満足の程度が向上する。
【００６１】
図５は、第１の実施形態に係るサービス提供システムを例示する模式図である。  
図５は、人のモチベーションの変化の例を示している。この例では、ユーザ３８０がイベント（例えばコンサートなど）に参加する。横軸は、時間ｔを示す。縦軸は、モチベーションＭＴである。モチベーションＭＴは、例えば、イベントに関連した商品の購入の希望を含む。イベントに関連した商品は、例えば、イベントに出演するパフォーマに関連するハードウエア（例えば、ポスターなど、音楽及び映像などを記録した記憶媒体）、及び、ソフトウエア（音楽及び映像などの情報など）を含む。
【００６２】
図５には、モチベーションＭＴの変化に関して３つの例（第１例ＥＸ１、第２例ＥＸ２及び第３例ＥＸ３）が示されている。第１例ＥＸ１においては、例えば、ユーザ３８０がイベントに参加しているときに使うグッズに、センシングデバイス３１０が設けられていない。
【００６３】
第２例ＥＸ２においては、ユーザ３８０がイベントに参加しているときに使うグッズ３３０に、センシングデバイス３１０が設けられている。第２例ＥＸ２においては、センシングデバイス３１０による検出結果に基づくデータの授受が行われる。例えば、イベント中におけるユーザ３８０の身体の状況などがセンシングデバイス３１０で検出される。検出結果に基づいて、パフォーマ３８５に対する応援の程度などが評価される。この評価結果が、例えば、グッズ３００に送信される。他の参加者との差異が表示されても良い。第２例ＥＸ２においては、例えば、データに基づく情報交換が、ユーザ３８０と、イベントの開催者と、の間で行われる。第２例ＥＸ２において、データに基づく情報交換が、イベントに参加している複数のユーザ３８０の間で行われても良い。第２例ＥＸ２は、後述する第２〜第６の実施形態の例に対応する。
【００６４】
第３例ＥＸ３においては、第２例ＥＸ２において、さらに、例えば、センシングデバイス３１０による検出結果が、クラウド３５０に提供され、検出結果に基づいて、ユーザ３８０と類似のまたは同じ特性（例えば好み）を有するコミュニティが形成される場合に対応する。この場合、例えば、イベントが終了した後に、複数のユーザ３８０が互いに情報交換を行う。第３例ＥＸ３は、後述する第７実施形態の例に対応する。
【００６５】
まず、第１例ＥＸ１について説明する。例えば、ユーザ３８０が第１イベント３２１に参加する前の第１時間ｔ１において、モチベーションＭＴは低い。ユーザ３８０が第１イベント３２１に参加しているときの第２時間ｔ２において、モチベーションＭＴは高い。第１イベント３２１が終了した後、時間ｔの経過に伴い、モチベーションＭＴが低下する。この後、第３時間ｔ３において、例えば、ユーザ３８０が、他の人と情報交換する。この第３時間ｔ３において、モチベーションＭＴは再び上昇する。この後、時間の経過とともにモチベーションＭＴが低下し、第４時間ｔ４においては、モチベーションＭＴは低い。この例では、第５時間ｔ５において、ユーザ３８０は第１イベント３２１に関連した商品３２４を購入する。この商品３２４は、例えば、映像ソフトウエアを記録した記録媒体などである。第５時間ｔ５において、モチベーションＭＴは高くなる。その後、時間ｔの経過に伴い、モチベーションＭＴが低下する。その後、ユーザ３８０は、第２イベント３２２に参加することを計画する。第２イベント３２２の前の第６時間ｔ６において、モチベーションＭＴが上昇する。ユーザ３８０が第２イベント２に参加しているときの第７時間ｔ７において、モチベーションＭＴは、極大となる。第２イベント３２２の終了の後に、モチベーションＭＴが低下する。
【００６６】
第１例ＥＸ１においては、２つのイベント中、及び、商品３２４の購入時に、モチベーションＭＴが一時的に上昇する。その、モチベーションＭＴは十分には高くない。
【００６７】
第２例ＥＸ２においては、それぞれの時間において、第１例ＥＸ１よりもモチベーションＭＴが高い。第２例ＥＸ２においては、ユーザ３８０は、センシングデバイス３１０が設けられたグッズ３００を使う。これにより、ユーザ３８０は、イベントをより楽しむ。ユーザ３８０において、感動の程度が大きい。これにより、モチベーションＭＴが向上する。ユーザ３８０は、第１例ＥＸ１の場合よりも第１イベント３２１をより楽しむ。さらに、第１イベント３２１をより楽しんだため、ユーザ３８０は、第２イベント３２２を、より楽しむ。第２例ＥＸ２においては、例えば、感動を仲間と高めあうことができる。このため、例えば、第２イベント３２２におけるモチベーションＭＴは、第１イベント３２１におけるモチベーションＭＴよりも高くなる。
【００６８】
第３例ＥＸ３においては、センシングデバイス３１０による検出データを用いて、１つのコミュニティに含まれる複数のユーザ３８０が情報交換を行う。この情報交換は、イベント終了後にも行われる。このため、イベント終了後も、例えば、商品３２４の購入の希望が高まる。このため、第３例ＥＸ３においては、第１イベント３２１及び第２イベント３２２の間の期間におけるモチベーションＭＴを、第２例ＥＸ２のそれよりも高くできる。
【００６９】
第２例ＥＸ２においては、第１例ＥＸ１よりも感動を高めることができる。さらに、第３例ＥＸ３においては、１つのイベントへの参加における感動が、次のイベントにつながる。感動を体験した人の本質的欲求をより満足させることができる。例えば、エンターテイメント「Ｅ」における感動が、物「Ｔ：Things」（例えばセンシングデバイス３１０）で捉えられる。捉えられた感動がインターネット「Ｉ：Internet」（クラウド３５０）で増幅される。第１の実施形態においては、例えば、ＥＩｏＴ（Entertaiment Internet of Things）が提供される。
【００７０】
図６は、第１の実施形態に係るサービス提供システムを例示する模式図である。  
図６に示すように、サービス提供システム５１０においては、例えば、提供者３７０により、情報がユーザ３８０に提供される。提供者３７０は、例えば「ジョイントベンチャ」型でも良い。ユーザ３８０へのサービスの提供は、直接行われても良く、間接的に行われても良い。
【００７１】
例えば、提供者３７０は、グッズ販売者３９１に認定３７０ａを提供する。グッズ販売者３９１は、対価３３０を提供者３７０に払う。実施形態において、対価３３０は、例えば、金である。対価は、権利（例えば経済価値のある権利など）でも良い。
【００７２】
提供者３７０は、コミュニティ運営者３９２にサービス３７０ｂを提供しても良い。サービス３７０ｂは、例えば、「コンサルタント」及び「ソリューション」などを含む。コミュニティ運営者３９２は、提供者３７０に対価３３０を払う。
【００７３】
コミュニティ運営者３９２は、グッズ販売者３９１に公認３９２ｄを提供する。グッズ販売者３９１は、コミュニティ運営者３９２に対価３３０を払う。
【００７４】
グッズ販売者３９１は、ユーザ３８０にグッズ３００を提供する。ユーザ３８０は、グッズ販売者３９１に対価３３０を支払う。グッズ３００には、センシングデバイス３１０（図６では省略）が設けられている。
【００７５】
ユーザ３８０は、例えば、イベントに参加する。例えば、ユーザ３８０がイベントに参加しているときのユーザ３８０の状態が、センシングデバイス３１０で検出される。検出された結果が、消費者データ３８０ａ（Ｃデータ）として、コミュニティ運営者３９２に提供される。コミュニティ運営者３９２は、例えば、ソーシャルネットワークサービス３９２ａをユーザ３８０に提供する。コミュニティ運営者３９２は、例えば、「コンテンツ及び物品」３９２ｂをユーザ３８０に提供しても良い。コミュニティ運営者３９２は、例えば、広告３９２ｃをユーザ３８０に提供しても良い。ユーザ３８０は、コミュニティ運営者３９２に対価３３０を払う。
【００７６】
コミュニティ運営者３９２は、提供者３７０にビジネスデータ３９２ｅ（Ｂデータ）を提供する。コミュニティ運営者３９２は、提供者３７０に消費者データ３９２ｆ（Ｃデータ）を提供する。消費者データ３９２ｆは、消費者データ３８０ａの少なくとも一部を含む。
【００７７】
提供者３７０は、広告者３９３に広告３７０ｃを依頼しても良い。広告者３９３は、提供者に対価３３０を払う。
【００７８】
提供者３７０は、イベント開催者３９４にサービス３７０ｄを提供しても良い。サービス３７０ｄは、例えば、「コンサルタント」及び「ソリューション」などを含む。イベント開催者３９４は、提供者３７０に対価３３０を払う。
【００７９】
提供者３７０は、事業者３９５にビジネスデータ３７０ｅ（Ｂデータ）を提供しても良い。提供者３７０は、事業者３９５に消費者データ３７０ｆ（Ｃデータ）を提供しても良い。消費者データ３７０ｆは、消費者データ３９２ｆの少なくとも一部を含む。事業者３９５は、例えば、提供者３７０に、合成データ３９５ａ、画像解析３９５ｂ、データ解析３９５ｃ、及び、音声合成３９５ｄの少なくともいずれかのサービスを提供しても良い。事業者３９５は、提供者３７０をサポートしても良い。提供者３７０は、事業者３９５に対価３３０を払う。
【００８０】
（第２の実施形態）  
第２の実施形態は、例えば、感動体験ＵＸに基づいて行われるサービス提供方法及びサービス提供システムに関する。以下のサービス提供方法及びサービス提供システムにおいて、参加者は、ユーザ３８０に対応する。
【００８１】
第２の実施形態によれば、サービス提供システムは、取得部と、提供部と、を含む。前記取得部は、イベントに参加する第１参加者の、前記イベントに関する行動に関する第１行動情報を取得する。前記提供部は、前記第１行動情報に基づく第１サービスを前記第１参加者に提供する。
【００８２】
図７は、第２の実施形態に係るサービス提供システムを例示する模式図である。  
図８は、第２の実施形態に係るサービス提供システムの動作を例示するフローチャート図である。  
図７に示すように、本実施形態に係るサービス提供システム１１０は、取得部１０と、提供部２０と、を含む。
【００８３】
図８に示すように、取得部１０は、イベントに参加する第１参加者８１の第１行動情報８１ｉを取得する（ステップＳ１１０）。
【００８４】
第１参加者８１は、イベントに関する行動を行う。第１行動情報８１ｉは、第１参加者８１のイベントに関する行動に関する情報である。
【００８５】
イベントは、例えば、コンサート、競技会、祭り、展示会及び販売会などを含む。競技会は、例えば、スポーツに関する。競技会は、例えば、ゲーム（カードゲーム、ボードゲーム及び電子ゲーム）を含んでも良い。イベントは、例えば、学園祭、結婚式、旅行または誕生日会などを含んでも良い。イベントには、複数の参加者が参加しても良い。イベントの種々の例については、後述する。
【００８６】
イベントには、例えば、パフォーマ８５が存在する。パフォーマ８５は、例えば、歌手、役者、舞踏者、アーティスト、スポーツ選手、及び、ゲームの実行者の少なくともいずれかを含む。パフォーマ８５は、イベントに関する製作者または制作物を含んでも良い。パフォーマ８５は、例えば、映画などの録画映像、アート作品、料理及び製品を含む。パフォーマ８５は、イベントに参加する別の参加者を含む。
【００８７】
以下では、説明を簡単にするために、イベントが、歌手のコンサートである場合について説明する。
【００８８】
第１参加者８１は、コンサートに参加する。第１参加者８１は、視聴者である。第１参加者８１は、コンサートに参加しているときに、パフォーマ８５（例えば、歌手）を応援する行動を取る。例えば、パフォーマ８５の状態に合わせて、手拍子をしたり、声をだしたり、体を揺らしたり、そして、ダンスをしたりする。この例の場合、パフォーマ８５の状態は、パフォーマ８５の歌、音楽及びダンスの少なくともいずれかの状態を含む。パフォーマ８５の状態は、照明、ガス放出、及び、振動の少なくともいずれかの状態を含んでも良い。
【００８９】
例えば、第１参加者８１は、光を発生するペンライトなどの保持物３０を持っている場合がある。第１参加者８１は、パフォーマ８５の歌やダンスに合わせて、保持物３０を動かす場合がある。このような第１参加者８１の行動が、第１行動情報８１ｉに含まれる。
【００９０】
取得部１０には、第１行動情報８１ｉを取得可能な電子装置が用いられる。第１参加者８１が撮像され、その撮像データを取得部１０が取得しても良い。後述するように、第１参加者８１がセンサ（第１センサ３１）を含む保持物３０を持っていても良い。このセンサにより、第１参加者８１の第１行動情報８１ｉが得られても良い。取得部１０の種々の例については、後述する。
【００９１】
提供部２０は、このような第１行動情報８１ｉに基づく第１サービス８１ｓを第１参加者８１に提供する。
【００９２】
例えば、第１行動情報８１ｉが評価される（図８に示すステップＳ１２０）。この評価は、例えば、取得部１０及び提供部２０の少なくともいずれかで行われても良い。評価は、取得部１０及び提供部２０とは別の電子装置で行われても良い。
【００９３】
例えば、第１参加者８１のペンライトの動きの、パフォーマ８５の状態（動きや音楽のリズムなど）への適合の程度が評価される。例えば、このような評価の結果が基準に達している場合に、第１サービス８１ｓが第１参加者８１に提供される。第１サービス８１ｓは、例えば、映像の視聴許可のパスワードなどを含んでも良い。評価の種々の例、及び、第１サービス８１ｓの種々の例については、後述する。
【００９４】
このように、本実施形態に係るサービス提供システム１１０においては、第１参加者８１に、第１参加者８１の第１行動情報８１ｉに基づく第１サービス８１ｓが提供される(図８に示すステップＳ１３０）。
【００９５】
これにより、第１参加者８１に適合するサービスが提供される。複数の参加者に上記のシステムが提供される。これにより、複数の参加者のそれぞれに、より適合するサービスが提供される。
【００９６】
実施形態においては、このようなサービスを、複数の参加者に提供する。例えば、取得部１０は、イベントに参加する第２参加者８２の、イベントに関する行動に関する第２行動情報８２ｉをさらに取得する。そして、提供部２０は、第２行動情報８２ｉに基づく第２サービス８２ｓを第２参加者８２に提供する。第２行動情報８２ｉが第１行動情報８１ｉとは異なるときに、第２サービス８２ｓは、第１サービス８１ｓとは異なる。このように、実施形態においては、参加者の行動に基づいて提供されるサービスが、参加者の行動に応じて異なる。参加者の行動についてしきい値が設けられる場合、参加者の行動が異なっていても、同じサービスが提供される場合がある。
【００９７】
以下、本実施形態に係るサービス提供システム１１０の動作のいくつかの例について説明する。
【００９８】
例えば、イベントに参加する第１参加者８１が、パフォーマ８５を応援する動作(第１行動）を、イベントの会場で行う。例えば、第１参加者８１は、ペン型照明をパフォーマ８５の歌や演奏に合わせて動かす。例えば、ペン型照明に加速度センサが設けられている。加速度センサにより、第１行動が検出される。第１参加者８１の動作（第１行動）に関する第１行動情報８１ｉが、例えば、パフォーマ８５の動き（例えばダンス）に関する情報と照合される。パフォーマ８５の動きに関する情報は、例えば、予め取得されている。パフォーマ８５の動きに関する情報は、イベントの会場において、パフォーマ８５の撮像データから得られても良い。例えば、画像解析装置が用いられる。
【００９９】
第１参加者８１の第１行動情報８１ｉと、例えば、パフォーマ８５の動きに関する情報と、の照合は、例えば、情報処理装置（例えばコンピュータ）により行われる。
【０１００】
例えば、第１行動情報８１ｉがチャートとして表現される。例えば、第１行動情報８１ｉのチャートの、パフォーマ８５の動きのチャートと、の適合部分が抽出される。この適合部分に応じて、用意されている情報（例えば映像情報など）の視聴許可が、第１参加者８１に提供される。この適合部分に応じて、用意されている情報（例えば映像情報など）につき、第１参加者８１に視聴が許可される。
【０１０１】
例えば、第１参加者８１は、電子的な情報端末機器４０を有している。情報端末機器４０は、例えば、携帯型でも良い。情報端末機器４０には、第１参加者８１に対応する認識番号（ＩＤ番号）が付与されている。例えば、用意されている情報の視聴許可のパスワードが、その情報端末機器４０に送信される。
【０１０２】
提供部２０は、例えば、第１参加者８１が行うパフォーマ８５への応援の程度に基づいて、第１サービス８１ｓを第１参加者８１に提供する。例えば、第１サービス８１ｓの内容は、第１参加者８１が行うパフォーマ８５への応援の程度によって変更される。例えば、応援の程度が高いときの第１サービス８１ｓの内容は、応援の程度が低いときの第１サービス８１ｓの内容よりも、参加者にとって喜ばれるように設定される。このため、第１参加者８１は、より良い第１サービス８１ｓが得られるように、より良い応援をしようとする。このため、第１参加者８１のような参加者により、そのイベントがより好ましく応援される。パフォーマ８５がより良く応援されることにより、イベントのパフォーマンスが向上する。第１参加者８１の満足度が高まる。イベントの価値がより高まる。
【０１０３】
このように、本実施形態によれば、第１参加者８１に適合するサービスを第１参加者８１に提供できることに加えて、イベントのパフォーマンスが向上し、イベントの価値が高まる。その結果、参加者の満足度が高まる。
【０１０４】
例えば、イベントがスポーツの競技会である場合、第１参加者８１は、その競技会を観戦している。パフォーマ８５は、競技会に参加しているスポーツ選手である。第１参加者８１は、チームまたはスポーツ選手を応援する。第１参加者８１は、旗または拡声器などの保持物３０を保持している。保持物３０に第１センサ３１が設けられている。第１センサ３１は、加速度センサ及びマイクロフォンなどを含む。第１参加者８１のイベントの会場内における第１行動情報８１ｉ（動作及び声など）が、第１センサ３１により検出される。第１行動情報８１ｉが、例えば、設定された評価パラメータを用いた情報に変換される。変換された第１行動情報８１ｉが、スポーツ選手の動きのパラメータと照合される。例えば、パラメータの一致の程度により、第１サービス８１ｓの内容が変更される。これにより、第１参加者８１に適合するサービスを第１参加者８１に提供できる。さらに、第１参加者８１のような参加者の応援により、イベントのパフォーマンスが向上し、イベントの価値が高まる。
【０１０５】
このように、実施形態において、第１行動情報８１ｉは、例えば、第１参加者８１がイベントに参加しているときの第１参加者８１に関する情報である。例えば、第１行動情報８１ｉは、第１参加者８１の第１身体８１ｂの動き、第１身体８１ｂの状態、及び、第１参加者８１の声、の少なくともいずれかに関する。第１身体８１ｂの動きは、例えば、第１参加者８１の、手、足、胴及び頭の少なくともいずれか動きを含む。第１身体８１ｂの動きは、例えば、第１参加者８１の、手拍子及びダンスの少なくともいずれかを含む。第１身体８１ｂの状態の例については、後述する。第１参加者８１の声は、第１参加者８１の歌を含む。
【０１０６】
第１行動情報８１ｉは、例えば、上記の第１センサ３１などにより取得されても良い。すなわち、取得部１０が第１センサ３１を含んでも良い。第１センサ３１は、第１参加者８１に保持される。第１センサ３１は、第１行動情報８１ｉに関する情報を取得する。
【０１０７】
図７に示すように、例えば、第１センサ３１は、保持物３０に固定されている。実施形態において、第１センサ３１は、保持物３０に取り付けられて良い。保持物３０は、第１参加者８１に保持される。または、保持物３０は、第１参加者８１の第１身体８１ｂに付着される。
【０１０８】
図９（ａ）〜図９（ｃ）は、第２の実施形態に係るサービス提供システムを例示する模式図である。  
図９（ａ）に示すように、保持物３０は、発光装置３０ａ（例えば照明）を含む。発光装置３０ａは、例えば棒状である。発光装置３０ａは、例えば、ペン型照明である。保持物３０は、旗状体３０ｂを含んでも良い。
【０１０９】
図９（ｂ）に示すように、保持物３０は、扇状体３０ｃを含んでも良い。保持物３０は、布状体３０ｄを含んでも良い。保持物３０は、拡声器３０ｅを含んでも良い。拡声器３０ｅは、例えば、音の方向を制御する。拡声器３０ｅは、電子的に音（声）の大きさを拡大しても良い。保持物３０は、マイクロフォン３０ｆを含んでも良い。
【０１１０】
図９（ｃ）に示すように、保持物３０は、腕輪３０ｇを含んでも良い。保持物３０は、首輪３０ｈを含んでも良い。保持物３０は、時計３０ｉを含んでも良い。保持物３０は、指輪３０ｊを含んでも良い。保持物３０は、眼鏡３０ｋを含んでも良い。保持物３０は、衣服３０ｌを含んでも良い。保持物３０は、靴３０ｍを含んでも良い。保持物３０は、手袋３０ｎを含んでも良い。保持物３０は、帽子３０ｏを含んでも良い。保持物３０は、情報端末機器４０（図７参照）を含んでも良い。保持物３０は、鉢巻き、風船、マスコット、座布団、チケットホルダ、タグ、耳飾り、名札、バッチ、シール、アクセサリ（例えば、Headband及びAlicebandの少なくともいずれかを含む）、ヘッドホン、イヤホン及び補聴器の少なくともいずれかを含んでも良い。
【０１１１】
これらの保持物３０に第１センサ３１が設けられる。第１センサ３１は、例えば、加速度センサを含む。第１センサ３１は、第１参加者８１の第１身体８１ｂの動きを含む第１行動情報８１ｉを検出する。第１センサ３１は、第１参加者８１の第１身体８１ｂの少なくとも一部の、加速度、速度及び移動方向の少なくともいずれかを検出する。すなわち、第１サービス８１ｓは、第１身体８１ｂの少なくとも一部の、加速度、速度及び移動方向の少なくともいずれかに基づいて変更される。
【０１１２】
第１センサ３１がマイクロフォンを含むとき、第１センサ３１は、第１参加者８１の声を含む第１行動情報８１ｉを検出する。
【０１１３】
図１０は、第２の実施形態に係るサービス提供システムを例示する模式図である。  
図１０は、保持物３０として用いられる発光装置３０ａを例示している。  
図１０に示すように、発光装置３０ａは、例えば、発光部３０ａｐを含む。発光部３０ａｐには、例えば、ＬＥＤなどが用いられる。発光部３０ａｐは、有機発光体でも良い。発光装置３０ａは、導光体３０ａｑを含んでも良い。
【０１１４】
発光装置３０ａは、例えばバッテリ３１ａを含んでも良い。発光装置３０ａの筐体３０ａｒ内に、第１センサ３１が設けられる。筐体３０ａｒ内に、第１処理装置３１ｂ、第１通信部３１ｃ及び第１メモリ３１ｄ（記憶部）が設けられても良い。第１処理装置３１ｂは、例えば、ＣＰＵなどの半導体装置が用いられる。第１処理装置３１ｂは、第１センサ３１の検出結果の信号を処理する。第１通信部３１ｃは、検出結果に関する信号を外部に送信する。第１通信部３１ｃは、外部からの信号を受信しても良い。第１メモリ３１ｄは、検出結果に関する情報を格納（記憶）する。第１メモリ３１ｄは、第１処理装置３１ｂの動作に関する情報を格納（記憶）する。第１メモリ３１ｄは、第１サービス８１ｓに関する情報を格納（記憶）しても良い。
【０１１５】
実施形態において、例えば、第１サービス８１ｓは、このような発光装置３０ａの動作状態に基づいて変更されても良い。例えば、パフォーマ８５の歌またはダンスなどのパフォーマンスに応じて、第１参加者８１によって、発光装置３０ａの発光の動作が切り替えられる。適切な切り変えを行ったときに、程度の高い第１サービス８１ｓが提供されても良い。
【０１１６】
第１参加者８１の第１行動情報８１ｉは、他の方法で取得されても良い。  
図１１は、第２の実施形態に係る別のサービス提供システムを例示する模式図である。  図１１に示すように、実施形態に係る別のサービス提供システム１１１において、取得部１０は、撮像部１１及びマイクロフォン１２の少なくともいずれかを含む。撮像部１１は、第１参加者８１の画像データを取得する。画像データは、第１参加者８１がイベントの会場にいるときの、第１参加者８１を含む画像データである。マイクロフォン１２は、第１参加者８１の声データを取得する。声データは、第１参加者８１がイベントに参加しているときの、第１参加者８１の声を含む音データである。撮像部１１及びマイクロフォン１２は、例えば、イベントの会場内に設けられる。撮像部１１の数は、複数でも良い。撮像部１１の数は、会場の広さに応じて定められても良い。画像データは、静止画及び動画の少なくともいずれかを含む。
【０１１７】
さらに、取得部１０は、取得部１０に含まれないカメラまたはマイクロフォンにより取得されたデータを取得しても良い。この場合、取得部１０に、入手部１５が設けられる。入手部１５は、例えば、別に取得された第１参加者８１の画像データ、及び、別に取得された第１参加者８１の声データの少なくともいずれかを入手する。
【０１１８】
このように、実施形態において、取得部１０における第１参加者８１の第１行動情報８１ｉは、種々の方法により取得される。
【０１１９】
実施形態においては、イベントに参加する第１参加者８１が保持する保持物３０に設けられる第１センサ３１による第１参加者８１の動作及び声の検出結果に基づいて、第１サービス８１ｓが提供される。第１サービス８１ｓは、検出結果によって変更される。保持物３０は、例えば、イベントの応援に用いられる応援グッズを含む。
【０１２０】
第１行動情報８１ｉは、第１参加者８１の第１身体８１ｂの状態を含んでも良い。第１身体８１ｂの状態は、例えば、第１身体８１ｂの、心拍数及び血圧の少なくともいずれかを含む。心拍数及び血圧に関する情報は、第１参加者８１が保持する種々の保持物３０などに設けられるセンサなどにより得られる。心拍数及び血圧に関する情報は、情報端末機器４０に設けられるセンサなどにより得られても良い。
【０１２１】
例えば、第１参加者８１がイベントを応援する程度に応じて、心拍数及び血圧の少なくともいずれかが変化する。例えば、第１参加者８１がイベントを楽しんでいる状態に応じて、心拍数及び血圧の少なくともいずれかが変化する。提供部２０は、第１参加者８１の心拍数及び血圧の少なくともいずれかを含む情報に基づいて、第１サービス８１ｓを提供する。第１参加者８１に適合するサービスを第１参加者８１に提供できる。
【０１２２】
第１行動情報８１ｉは、第１参加者８１が電子機器に入力する情報を含んでも良い。この情報は、例えば、取得部１０に含まれる入手部１５で行われる。例えば、電子機器として、保持物３０または情報端末機器４０が用いられても良い。第１行動情報８１ｉは、例えば、第１参加者８１がイベントに参加しているときに入力する情報を含んでも良い。
【０１２３】
さらに、第１行動情報８１ｉは、例えば、第１参加者８１がイベントに参加する前または後に入力する情報を含んでも良い。例えば、イベントの特定の期間の前に、イベントの参加を申し込む期間などが設けられる。この期間において、第１参加者８１は、イベントを応援する行動をとる場合がある。例えば、イベントの特定の期間の後に、参加者がイベントについての感想または評価結果を表現する場合がある。イベントの後のこのような表現は、第１参加者８１のイベントを応援する行動に含まれる。イベントを応援する行動には、イベントの改善点を指摘する行動も含まれる。
【０１２４】
第１参加者８１がイベントに参加する前または後に電子機器に入力する情報を含む第１行動情報に基づいて第１サービス８１ｓが提供されることで、イベントを応援する行動の範囲が広がる。第１参加者８１に、より適合するサービスが、提供できる。
【０１２５】
本実施形態において、第１行動情報８１ｉは、イベントの会場中における第１参加者８１の行動（発言を含む）に関する情報を含む。例えば、第１行動情報８１ｉは、イベントのパフォーマ８５を応援する動作に関する情報を含む。応援する動作は、例えば、意識的な動作である。第１行動情報８１ｉは、パフォーマ８５に対応する動作に関する情報を含む。パフォーマ８５に対応する動作は、例えば、パフォーマ８５の動きに対応する意識的な動作である。第１行動情報８１ｉは、イベントにおける第１参加者８１の無意識的な反応を含んでも良い。第１行動情報８１ｉは、イベントにおける第１参加者８１のマナーを守る行動を含んでも良い。マナーは、例えば、イベント終了後の会場からの退場、及び、帰宅における、第１参加者８１の状態などを含む。
【０１２６】
以下、第１行動情報８１ｉの評価の例について説明する。  
図１２は、第２の実施形態に係るサービス提供システムを例示する模式図である。  
図１２は、第１行動情報８１ｉの評価を例示している。  
第１行動情報８１ｉは、例えば、評価項目に基づいて評価される。例えば、第１センサ３１により検出された第１参加者８１の第１身体８１ｂの運動が評価される。評価結果が、例えばレーダチャートによって表示される。評価結果は、例えば、グラフ、記号、イラスト、パターン及びアバター（人形）の少なくともいずれかにより表示されても良い。評価結果は、例えば、気体及び液体の少なくともいずれかにより表現されても良い。評価結果は、表示される画像の構成の変化（漫画のコマ割りの変化など）により表示さえても良い。評価結果の可視化表現は、イベント毎に様々な表現が適用されても良い。
【０１２７】
評価項目は、例えば、パフォーマ８５とのシンクロ度Ｅ１を含む。シンクロ度Ｅ１は、第１参加者８１の行動と、パフォーマ８５の動きと、のタイミングの一致度を含む。
【０１２８】
評価項目は、他の参加者（例えば第２参加者８２）とのシンクロ度Ｅ２を含む。シンクロ度Ｅ２は、第１参加者８１の動きと、第１参加者８１とは異なる他の参加者（第２参加者８２）の動きと、のタイミングの一致度を含む。
【０１２９】
評価項目は、例えば、動きの完成度Ｅ３を含む。動きの完成度Ｅ３は、第１参加者８１の動き（例えばダンス）と、予め定められた動きと、の一致度を含む。動きの完成度Ｅ３は、動きの大きさ及び時間を含んでも良い。動きの大きさは、第１参加者８１の第１身体８１ｂの移動する範囲の大きさである。動きの時間は、第１参加者８１の第１身体８１ｂが運動している時間の長さである。
【０１３０】
例えば、第１センサ３１、撮像部１１及びマイクロフォン１２の少なくともいずれかにより得られるデータが、パフォーマ８５とのシンクロ度Ｅ１、他の参加者とのシンクロ度Ｅ２、及び、動きの完成度Ｅ３の評価項目に基づいて評価される。
【０１３１】
評価項目は、例えば、熱中度Ｅ４を含んでも良い。熱中度Ｅ４は、例えば、第１参加者８１の集中度を含んでも良い。例えば、第１身体８１ｂの、心拍数及び血圧の少なくともいずれかを含むデータが、熱中度Ｅ４の評価項目として評価される。
【０１３２】
評価項目は、例えば、貢献度Ｅ５を含んでもよい。貢献度Ｅ５は、イベントをより良く実施するための、行動（発言）の評価を含む。例えば、この行動（発言を含む）は、例えば、第１参加者８１の自発的な行動を含んでも良い。例えば、貢献度Ｅ５は、イベントを褒める行動（発言を含む）を含んでもよい。貢献度Ｅ５は、イベントに関する改善点を提案する行動（発言を含む）を含んでもよい。貢献度Ｅ５は、イベントにおけるトラブルを解消するための行動（発言を含む）を含んでもよい。例えば、イベントの会場における第１参加者８１の行動（発言を含む）に関する情報が、第１センサ３１、撮像部１１、マイクロフォン１２及び入手部１５により取得される。入手部１５の情報の入手は、Ｗｅｂなどの電子情報網からの入手を含む。このような情報が、貢献度Ｅ５のデータとして評価される。
【０１３３】
評価項目は、例えば、協力度Ｅ６を含んでもよい。協力度Ｅ６は、例えば、イベントの運営に関わる指示への順守度などを含む。例えば、運営に関わる指示は、例えば、イベント会場内での移動の指示（入退場の指示、休憩の指示及び座席指示などを含む）などを含む。運営に関わる指示は、例えば、イベントの開催前及びイベントの開催後に行われる指示を含んでも良い。
【０１３４】
例えば、実施形態の１つの例においては、入手された第１行動情報８１ｉを、評価項目（例えば図１２に関して説明した評価項目など）に基づいて評価する（ステップＳ１２０）。評価の結果に基づいて第１サービス８１ｓを変更する。評価項目は、例えば、第１関連度を含む。第１関連度は、イベントで提供される、音楽及び映像の少なくともいずれかを含む提供情報と、第１行動情報８１ｉと、の間の相関を含む。第１関連度は、例えば、パフォーマ８５とのシンクロ度Ｅ１を含む。
【０１３５】
評価項目は、例えば、第２関連度を含んでも良い。第２関連度は、イベントに参加する第２参加者８２のイベントに関する行動に関する第２行動に関する第２行動情報と、第１行動情報８１ｉと、の間の相関を含む。第２関連度は、第２参加者８２とのシンクロ度Ｅ２を含む。
【０１３６】
以上のように、実施形態において、評価項目は、種々の変形が可能である。
【０１３７】
実施形態に係る処理は、取得部１０及び提供部２０の少なくともいずれかで実施されても良い。
【０１３８】
実施形態において、以下が、実施されても良い。  
例えば、加速度センサにより、第１参加者８１の動作の激しさに関する情報が、取得される。この情報は、第１参加者８１の興奮度に対応する。第１参加者８１の興奮度の時間当たりの平均、及び、第１参加者８１の興奮度と、イベントの他の参加者の興奮度の平均と、の差の少なくともいずれかが、評価される。
【０１３９】
例えば、加速度センサにより、第１参加者８１のリズム感と、楽曲のテンポ及びリズムの少なくともいずれかと、の差が評価される。
【０１４０】
例えば、可視光通信の受信履歴に関する情報から、通信の取得数が、評価される。
【０１４１】
例えば、周辺機器との通信に関する情報から、第１参加者８１の評価結果と、他の参加者の平均、及び、他の参加者の評価上位者と、の差の少なくともいずれかが評価される。周辺機器との通信に関する情報から、第１参加者８１の周囲との調和度が評価される。  
第１参加者８１のボタン押し動作に関する情報、及び、加速度センサでの検出結果に基づいて、第１参加者８１がいいと思った所のブックマークの、数及び分布度の少なくともいずれかが評価される。
【０１４２】
計測及び判定する技術においては、例えば、加速度センサ、マイク、心拍及び画像認識技術などの少なくともいずれかが用いられる。
【０１４３】
計測及び判定する対象は、例えば、会場音楽、アイドル及び観客同士などの少なくともいずれかを含む。
【０１４４】
１つの例では、演者が持つ装置、及び、観客が持つ装置から、加速度センサデータを無線通信で会場内演算装置に集め、演者の動きデータ（加速度センサーデータ）と、観客の動きデータと、が比較される。演者の動きに近い動きデータを発信した上位１００名の観客について動きが適合したと判定する。
【０１４５】
他の１つの例では、コンサートに参加している観客によって振られるペンライトに内蔵された加速度センサによって、上下左右前後の移動量、加速及び時間の少なくともいずれかに関するデータが計測される。計測されたこのデータが、ペンライトに内蔵されたメモリに保存される。上記の処理と同時に、演者の動きが測定される。この測定は、例えば、演者が持つマイクまたはアクセサリーなどの端末に内蔵された加速度センサにより行われる。または、この測定は、外部の画像解析装置によって測定される。し、無線通信によって会場内の演算装置に集められクラウド上のサーバにアップロードされる。観客は、上記のメモリから、個人所有の携帯端末またはパソコンを介して測定結果を確認し、サーバ上にある演者の測定結果と比較し、一致箇所の数に応じて段階的にあらかじめ設定された、動画データまたは音声データまたは広告または特典を、ダウンロードすることが可能となる。
【０１４６】
他の１つの例では、観客が急激にペンライトを振った場合に、加速度センサとメモリとを搭載したデバイスが、振られた時刻及び継続時間を測定し記録する。観客はその時刻に該当する情報を、イベント運営者によってサーバに蓄積されたタイムラインを持った情報と照会することができる。例えば、それは、同時刻の演出効果の内容、もしくは同時刻に録音された演者のマイクパフォーマンスの内容、もしくは同時刻に外部の画像解析装置によって測定された演者の立ち位置や身体動作などである。また、それらの情報には結びつけられたコンテンツが存在し、観客は携帯端末やパーソナルコンピュータにて確認することが出来る。
【０１４７】
他の１つの例では、イベント開始前にあらかじめ第１の観客によってペンライト型デバイスを用いた応援動作の振付が、応援動作の解説と、ペンライト型デバイス内に設けられている加速度センサの測定結果と、ともに、サーバにアップロードされている。第２の観客は、イベント開始前またはイベント時に、第１の観客の動きをペンライト型デバイスを持って真似を行い、同様に記録された加速度センサの測定結果や色の設定を、サーバにアップロードする。サーバ上で第１の観客と第２の観客の測定結果の一致数を測定し、段階的に評価結果を両者に提示する。評価結果に応じて、第１の観客または運営者側より、コンテンツのダウンロード権が送られる。
【０１４８】
他の１つの例では、観客が保持している団扇型のデバイス等に内蔵された可視光通信受光部に向かって、アイドルが保持している可視光通信発信部からの光が当たると、デバイスは、受光回数及びパルス信号の少なくともいずれかを記録する。サーバ接続時に、受光回数及びパルス信号の少なくともいずれかに応じて、運営者側によって設定されたコンテンツの取得権利を得ることができる。赤外線通信及び音波通信の少なくともいずれかが利用されても良い。
【０１４９】
他の１つの例では、運営者側より観客に向かって、席での待機を音声によって指示した場合に、それに従って自席で待機している観客の保持する端末に対して、電波強度を抑えた無線通信機器の信号を受信できるかどうかで、判定が行われる。音声指示によって移動を促した際に、コンテンツのダウンロード権を証明するコードが、同様の無線通信機器より発信され、指示を守っていた観客のみ、コードを受信することができる。または、出口に設置された短距離無線通信端末から、移動指示のタイミングに合わせて、異なるデータが発信され、観客の端末に保存されている座席情報と統合されて、初めてコンテンツのダウンロード権が再現可能となる。
【０１５０】
提供部２０から第１参加者８１に供給される第１サービス８１ｓの例について説明する。  
第１サービス８１ｓは、例えば、取得部１０によって取得された第１行動情報８１ｉの表示を含んでも良い。例えば、第１行動情報８１ｉが、パフォーマ８５を応援する動作を含む場合は、応援する動作が実施されている時間の表示が、第１サービス８１ｓとして提供されても良い。表示は、視覚的に認識し易い図形などを用いて行われても良い。
【０１５１】
第１サービス８１ｓは、例えば、第１行動情報８１ｉの評価結果の表示を含んでも良い。例えば、第１行動情報８１ｉが、パフォーマ８５を応援する動作を含む場合は、応援する動作の評価結果の表示が、第１サービス８１ｓとして提供されても良い。例えば、図１２に例示したチャートなどが提供されても良い。この場合の表示も、視覚的に認識し易い図形などを用いて行われても良い。
【０１５２】
図形は、多角形などの幾何パターンを有しても良い。図形は、人を表す形状を有しても良い。図形は、人が持つ物体、または、人が装着する衣服など（ヘルメットなどを含む）の形状を有しても良い。例えば、第１行動情報８１ｉに基づく評価結果により、上記の物体、または、衣服などが変更されても良い。
【０１５３】
第１サービス８１ｓは、例えば、映像、画像（例えば、イラスト及び写真など）、音楽及び音声の少なくともいずれかの情報を含んでも良い。これらの情報は、例えば、イベントに関する情報でも良い。これらの情報は、例えば、パフォーマ８５に関する情報でも良い。これらの情報は、第１参加者８１が参加するイベントとは別のイベントに関する情報でも良い。これらの情報は、第１参加者８１が参加するイベントのパフォーマ８５とは別のパフォーマに関する情報でも良い。これらの情報が、第１サービス８１ｓとして提供されても良い。第１サービス８１ｓは、情報を閲覧可能にするパスワードでも良い。
【０１５４】
第１サービス８１ｓは、例えば、第１参加者８１が参加するイベントの、主催者に関する情報、協力者に関する情報、主催の経緯に関する情報、歴史に関係する情報、及び、関連する他のイベントに関する情報を含んでも良い。
【０１５５】
第１サービス８１ｓは、例えば、第１参加者８１が参加するイベントの会場に関する情報、及び、その会場の周辺地域に関する情報（交通手段、駐車場及びレストランなど）、会場の周辺に関するニュースに関する情報、及び、イベントの開催日の天気に関する情報などを含んでも良い。
【０１５６】
第１サービス８１ｓは、例えば、イベントに参加する他の参加者に関する情報を含んでも良い。第１サービス８１ｓは、広告を含んでも良い。第１サービス８１ｓは、他のイベント、飲食、レシピ、旅行、教育、美容及び健康などに関する情報を含んでも良い。
【０１５７】
第１サービス８１ｓは、情報の他に、有形物を含んでも良い。有形物は、例えば、映像及び音楽を含む記憶媒体、写真、及び、グッズの少なくともいずれかを含む。
【０１５８】
第１サービス８１ｓは、例えば、ギフト商品、商品券、金融商品、及び、商品の予約の少なくともいずれかを含んでも良い。
【０１５９】
第１サービス８１ｓは、例えば、第１参加者８１から他に移動可能でも良い。例えば、第１サービス８１ｓ、及び、第１サービス８１ｓに関する情報は、第１参加者８１から、イベントの他の参加者に譲渡可能でも良い。例えば、第１参加者８１が得た第１サービス８１ｓ（例えば、画像、音声及びパスワードの少なくともいずれかを含む）を、別の参加者に譲渡可能でも良い。例えば、譲渡は、イベントの運営者への連絡、及び、イベントの運営者の承認に基づいても良い。
【０１６０】
実施形態の１つの例においては、入手された第１行動情報８１ｉが、評価項目に基づいて評価される（ステップＳ１２０）。評価の結果に基づいて第１サービス８１ｓが変更される。第１サービス８１ｓは、第１行動情報８１ｉに基づいて作成された第１画像情報、評価の結果に基づいて作成された第２画像情報、イベントに関する第３画像情報、イベントに関する映像情報、イベントに関する音楽情報、及び、イベントに関する音声情報の少なくともいずれかを含んでもよい。
【０１６１】
以上のように、第１サービス８１ｓは、種々の変形が可能である。
【０１６２】
以下、第１サービス８１ｓの提供方法の例について説明する。  
第１サービス８１ｓは、例えば、イベントの会場で第１参加者８１に提供されても良い。第１サービス８１ｓは、例えば、イベント会場に付設されるグッズショップで提供されても良い。
【０１６３】
第１サービス８１ｓは、例えば、電子的なＷｅｂを介して提供されても良い。Ｗｅｂは、イベントに関して設けられたＳＮＳ（Social Networking Service）を含んでも良い。Ｗｅｂは、電子的な掲示板を含んでも良い。第１サービス８１ｓは、電子的なＷｅｂによる通信販売により提供されても良い。Ｗｅｂによる提供は、例えば、イベントを運営する組織（運営会社または委託された会社など）により行われる。
【０１６４】
第１サービス８１ｓは、例えば、デジタルサイネージにより提供されても良い。第１サービス８１ｓは、例えば、自動販売機により提供されても良い。
【０１６５】
第１サービス８１ｓは、第１参加者８１が保持する保持物３０を介して提供されても良い。上記のように、第１参加者８１が、応援のための保持物３０（ペン型照明など）を保持している場合、その保持物３０に第１サービス８１ｓとして、情報が送信されても良い。例えば、この情報には、特定の情報を視聴可能にするパスワードを含んでも良い。
【０１６６】
例えば、保持物３０は、そのイベントに特有に設計されても良い。例えば、そのイベントのパフォーマ８５に関する情報が、保持物３０に設けられる第１メモリ３１ｄに格納される。第１メモリ３１ｄにその特定の情報を格納した状態で、保持物３０が販売されても良い。または、第１参加者８１が、保持物３０の第１メモリ３１ｄに、例えば、Ｗｅｂを介してダウンロードされたその特定の情報を格納しても良い。第１サービス８１ｓが、その特定の情報に関するパスワードでも良い。パスワードの提供は、保持物３０の第１通信部３１ｃを介して行われても良い。パスワードの提供は、例えば、第１参加者８１が所有する情報端末機器４０を介して行われても良い。
【０１６７】
第１サービス８１ｓは、頒布されるアプリケーションソフトウエアまたはデータなどのソフトウエアのダウンロードのためのパスワードを含んでも良い。第１サービス８１ｓは、第１サービス８１ｓとして提供される各種の電子データを使用にするためのドライバソフトウエアを含んでも良い。
【０１６８】
さらに、第１行動情報８１ｉの評価結果に基づいて、各種の情報へのアクセスが可能になっても良い。すなわち、例えば、サーバにおいて第１参加者８１が認識され、第１参加者８１からの所定の情報へのアクセスがパスワードの入力などをしないで可能にしても良い。
【０１６９】
実施形態において、第１サービス８１ｓの第１参加者８１への提供は、例えば、イベントに関して第１参加者８１に提供されるデータ（ソフトウエアを含む）への第１参加者８１によるアクセスを可能にすることを含む。  
このように、第１サービス８１ｓの提供方法は、種々の変形が可能である。
【０１７０】
本実施形態においては、例えば、イベントにおいて、パフォーマ８５を応援するグッズ（保持物３０など）に加速度センサが設けられる。第１参加者８１の動き（応援の動作）が加速度センサにより検出される。検出結果（第１参加者８１の行動履歴）が、視覚化されて表示される。第１参加者８１は、この表示を見ることで、イベントをより楽しむことができる。他の参加者と競う合うことができる。行動履歴に応じて、配信されるコンテンツ（写真及び映像など）が、参加者に応じて変更される。行動履歴に応じて、表示される広告または商品が、参加者によって変更される。
【０１７１】
本実施形態においては、例えば、パフォーマ８５を応援するグッズに、コンテンツ（写真及び映像など）の情報が格納される。検出された第１行動情報８１ｉに応じて、コンテンツのアクセスのロックが解除されても良い。
【０１７２】
このように、本実施形態においては、イベントに参加する参加者の行動及び状態が検出される。検出結果がパラメータ化される。一方、コンテンツがパラメータ化される。パラメータ化された検出結果と、パラメータ化されたコンテンツと、の照合が行われる。照合結果に応じて、提供されるサービス（コンテンツ）が変更される。本実施形態においては、例えば、イベントへの参加者の行動及び状態の少なくともいずれかが、第１センサ３１により検出される。検出結果が、設定されている評価項目に従って評価される。例えば、点数づけが行われる。評価結果に基づいて、点数に対応づけられたサービスが、参加者に提供される。サービスは、コンテンツ（情報）及び有形物の少なくともいずれかを含む。
【０１７３】
本実施形態において、例えば、イベントの第１参加者８１が、パフォーマ８５を応援する動作（第１行動）を実施する。この第１行動に関する第１行動情報８１ｉが、第１参加者８１が保持する保持物３０（例えばペン型照明）に設けられた第１センサ３１（例えば、加速度センサ）により検出される。第１行動情報８１ｉが、例えば、保持物３０内に設けられている第１処理装置３１ｂにより、処理される。第１行動情報８１ｉが、評価項目に基づいて、評価される。第１行動情報８１ｉが、例えば、数値化される。第１行動情報８１ｉに基づいて、例えば、写真、映像及び音声の少なくともいずれかを含むコンテンツが第１サービス８１ｓとして提供される。このコンテンツに関する情報は、保持物３０に予め格納されても良い。参加者のそれぞれの行動に応じて提供されるサービスが変化する。この例においては、通信なしで、サービスの提供が可能になる。
【０１７４】
本実施形態において、通信を用いて、サービスが提供されても良い。例えば、保持物３０として、発光装置３０ａ（例えばペン型照明）が用いられる。保持物３０の発光が、例えば、第１処理装置３１ｂにより制御される。この制御には、例えば、保持物３０に設けられる第１メモリ３１ｄに格納されたプログラムが用いられる。この制御は、他の参加者と連携しても良い。発光装置３０ａの振動が、このプログラムによって制御されても良い。制御は、イベント中に送信される信号（情報）により行われても良い。保持物３０には第１センサ３１（加速度センサなど）が設けられる。例えば、イベント後に、取得された第１行動情報８１ｉが評価される。評価結果に基づいて、クラウド上に用意されたサービスへのアクセス権限が変更される。この例では、保持物３０は、イベント時にパフォーマ８５を応援するデバイスとして使用される。さらに、保持物３０は、第１行動情報８１ｉを送信するデバイスとして使用される。さらに、保持物３０は、クラウドサービスに基づくコンテンツ交換が可能なデバイスとして使用される。
【０１７５】
実施形態によれば、イベントに参加する参加者に、より適したサービスを提供できるサービス提供システムを提供できる。
【０１７６】
実施形態において、特定の期間において、イベントが開催される。イベントは、遊園地及び観光地の少なくともいずれかを含んでも良い。イベントは、例えば、一定の場所で開催される。イベントは、複数の場所で同時に開催されても良い。
【０１７７】
実施形態において、第１行動情報８１ｉは、イベントに参加する前の第１参加者８１の行動及び体験の少なくともいずれかも含んでも良い。イベントに参加する前の第１参加者８１の行動及び体験は、例えば、ペンライトのモーションと、光り方と、の関係に関するプログラムを作成し、そのプログラムをアップロードすることを含んでも良い。イベントに参加する前の第１参加者８１の行動及び体験は、例えば、ペンライトのモーションと、光り方と、の関係に関するプログラムをダウンロードすることを含んでも良い。イベントに参加する前の第１参加者８１の行動及び体験は、ペンライトのモーションと、光り方と、の関係に関するプログラムについて語り合うことを含んでも良い。イベントに参加する前の第１参加者８１の行動及び体験は、イベントにどういう風に参加しようか、どう関わろうか、と語り合うことを含んでも良い。イベントに参加する前の第１参加者８１の行動及び体験は、イベントをどうしようかと語り合うことを含んでも良い。
【０１７８】
実施形態において、第１行動情報８１ｉは、イベントに参加した後の第１参加者８１の行動及び体験の少なくともいずれかも含んでも良い。
【０１７９】
（第３の実施形態）  
本実施形態においては、第１参加者８１の第１行動情報８１ｉは、例えば、イベントに関連する第１参加者８１の購買情報を含む。例えば、第１参加者８１は、そのイベントに関するグッズなどを購入する。第１行動情報８１ｉは、このような購買履歴を含んでも良い。購買履歴は、イベントを応援する程度によって変化する。このような購買履歴は、例えば、ＰＯＳ（Point of Sales System）などの検出システムにより得られる。このような購買記録は、インターネットを介した通信記録から得られる。
【０１８０】
第１行動情報８１ｉは、例えば、第１参加者８１の通信記録に関する情報を含んでも良い。第１参加者８１は、例えば、情報端末機器４０を有している。第１行動情報８１ｉは、情報端末機器４０を介した通信記録を含んでも良い。通信記録は、イベントに関する第１参加者８１のコメントなどの通信の記録を含んでも良い。第１行動情報８１ｉは、例えば、第１参加者８１の検索履歴を含んでも良い。
【０１８１】
通信記録は、例えば、情報端末機器４０の通信記録から得られる。通信記録は、例えば、インターネットを介した通信記録から得られる。情報端末機器４０は、例えば、電話及びパーソナルコンピュータなどを含む。情報端末機器４０の形態は、任意である。
【０１８２】
第１行動情報８１ｉは、例えば、第１参加者８１の位置情報を含んでも良い。第１参加者８１は、イベントに関する種々の場所を訪れる。第１参加者８１の位置情報により、第１参加者８１がイベントを応援している程度を推定できる。
【０１８３】
第１行動情報８１ｉは、第１参加者８１から入力される情報を含んでも良い。例えば、第１行動情報８１ｉは、質問に対する第１参加者８１の回答を含んでも良い。
【０１８４】
第１行動情報８１ｉに関する評価項目は、例えば、種々のイベントへの第１参加者８１の参加率を含んでも良い。評価項目は、例えば、第１参加者８１がイベントに関して消費する金額を含んでも良い。評価項目は、例えば、第１参加者８１がイベントに関する購買の頻度を含んでも良い。イベントに関する購買は、例えば、イベントに関するグッズの購買を含む。
【０１８５】
第１行動情報８１ｉの評価項目は、第１参加者８１のイベントに関する開発の程度を含んでも良い。第１行動情報８１ｉの評価項目は、第１参加者８１のイベントに関する企画の程度を含んでも良い。例えば、第１参加者８１は、イベントの運営組織とは別に、イベントを支援する行動を行う場合がある。例えば、第１参加者８１が、インターネットを介して、イベントに関するコメントを発信する場合がある。第１参加者８１が、イベントに関する呼びかけを行う場合がある。第１行動情報８１ｉは、このような行動に関する情報を含んでも良い。
【０１８６】
第１行動情報８１ｉは、第１参加者８１のイベントに関して消費する時間に関する情報を含んでも良い。第１行動情報８１ｉは、ＳＮＳにおける知り合いの数に関する情報を含んでも良い。第１行動情報８１ｉは、第１参加者８１が参加するイベントとは別のイベントへの招待回数に関する情報を含んでも良い。第１行動情報８１ｉは、第１参加者８１の種々のイベントにおける遅刻率及び並ぶ時間の少なくともいずれかに関する情報を含んでも良い。第１行動情報８１ｉは、第１参加者８１の年齢及び性別に関する情報を含んでも良い。
【０１８７】
本実施形態において、例えば、第１参加者８１は、イベントに参加する際に登録を行う。登録により、第１参加者８１には、特定の認識情報（例えばＩＤ）が付与される。第１参加者８１は、保持物３０（応援グッズ）を保持する。保持物３０は、認識情報と関連づけられる。保持物３０には、第１センサ３１（例えば、加速度センサ）が設けられる。保持物３０には、第１メモリ３１ｄも設けられる。第１参加者８１は、イベントのパフォーマ８５を応援する行動を行う。第１参加者８１は、イベントにおけるマナーを守る行動等を行う。このような行動に加え、ＰＯＳによるグッズ購入履歴が第１行動情報８１ｉとして取得される。第１行動情報８１ｉが評価される。評価結果が、パラメータに変換される。一方、イベントの開催組織によって、パラメータと関連づけられた複数のサービスが用意される。複数のサービスは、例えば、参加可能な他のイベント、アクセス可能なＷｅｂサービス、及び、入手可能なコンテンツなどを含む。第１行動情報８１ｉの評価結果が、パラメータと関連づけられた複数のサービスと照合される。この照合は、例えば、クラウド上の情報処理装置で行われる。例えば、第１参加者８１の無意識の行動を含めて、評価が行われる。評価の結果に基づいて、例えば、コンテンツへのアクセス制限が変更される。
【０１８８】
本実施形態によれば、イベントに参加する参加者に、より適したサービスを提供できるサービス提供システムが提供できる。
【０１８９】
（第４の実施形態）  
図１３は、第４の実施形態に係るサービス提供装置を例示する模式図である。  
本実施形態に係るサービス提供装置２１０は、例えば、実施形態に係るサービス提供システム１１０などに用いられる。  
図１３に示すように、サービス提供装置２１０は、第１センサ３１と、第１通信部３１ｃと、を含む。
【０１９０】
第１センサ３１は、イベントに参加する第１参加者８１に保持される。この例では、第１センサ３１は、保持物３０（この例では、発光装置３０ａ）に設けられる。第１センサ３１は、イベントに第１参加者８１が参加しているときの、第１参加者８１の第１身体８１ｂの動き、第１身体８１ｂの状態、及び、第１参加者８１の声、の少なくともいずれかを検出する。
【０１９１】
第１通信部３１ｃは、検出した結果を送信する。さらに、第１通信部３１ｃは、その結果に基づいた第１サービス８１ｓを受信して、第１サービス８１ｓを第１参加者８１に提供する。
【０１９２】
第１通信部３１ｃで受信された第１サービス８１ｓは、例えば、コンテンツにアクセする権限のパスワードでも良い。第１通信部３１ｃで受信された第１サービス８１ｓの情報により、例えば、メモリ３１ｄに格納されたアプリケーションプログラムが起動しても良い。
【０１９３】
本実施形態によれば、イベントに参加する参加者に適したサービスを提供できるサービス提供装置が提供できる。
【０１９４】
サービス提供装置２１０は、バッテリ３１ａ、第１処理装置３１ｂ及び第１メモリ３１ｄの少なくともいずれかをさらに含んでも良い。
【０１９５】
サービス提供装置２１０の形態は、例えば、図９（ａ）〜図９（ｃ）に関して説明した任意の保持物３０の形態を有しても良い。
【０１９６】
（第５の実施形態）  
図１４は、第５の実施形態に係るサービス提供装置を例示する模式図である。  
本実施形態に係るサービス提供装置２１１は、例えば、実施形態に係るサービス提供システム１１０などに用いられる。  
図１４に示すように、サービス提供装置２１１は、例えば、第１センサ３１と、提供部３１ｐと、を含む。
【０１９７】
第１センサ３１は、イベントに参加する第１参加者８１に保持される。この例では、第１センサ３１は、保持物３０（発光装置３０ａ）に設けられている。第１センサ３１は、イベントに第１参加者８１が参加しているときの、第１参加者８１の第１身体８１ｂの動き、第１身体８１ｂの状態、及び、第１参加者８１の声、の少なくともいずれかを検出する。
【０１９８】
提供部３１ｐは、検出した結果に基づいた第１サービス８１ｓを、第１参加者８１に提供する。提供部３１ｐは、例えば、表示部でも良い。提供部３１ｐは、第１サービス８１ｓを含む情報を格納しても良い。第１参加者８１は、提供部３１ｐに格納された第１サービス８１ｓを含む情報を、別の情報機器に提供し、第１サービス８１ｓを受け取っても良い。
【０１９９】
この例では、サービス提供装置２１１に、第１メモリ３１ｄが設けられている。第１メモリ３１ｄには、種々のコンテンツが格納されている。提供部３１ｐは、検出した結果に基づいて、第１メモリ３１ｄに格納された複数のコンテンツの少なくともいずれかを、第１サービス８１ｓとして、第１参加者８１に提供する。
【０２００】
第１メモリ３１ｄは、例えば、容量の大きな記録媒体である。第１メモリ３１ｄに、大容量のコンテンツが記録されている。第１センサ３１が検出した第１参加者８１の第１行動情報８１ｉが、サービス提供装置２１１内で、評価される。この評価には、例えば、第１メモリ３１ｄに格納された評価プログラムが用いられる。評価は、例えば、第１処理装置３１ｂで行われる。評価結果に基づいて、例えば、コンテンツの視聴制限が、段階的に解除される。
【０２０１】
例えば、イベント（例えばコンサート）において、応援グッズが配布される。配布は、例えば有料または無料である。サービス提供装置２１１は、この応援グッズを含む。応援グッズは、例えば、保持物である。応援グッズ内に、写真、映像、音楽、音声、割引券及び広告の少なくともいずれかを含む情報が格納されている。これらの情報は、例えば、イベントの運営組織から提供される。この情報は、例えば、複数のコンテンツを含む。例えば、いくつかのコンテンツには、アクセス制限が設けられている。第１参加者８１は、最初は、いくつかのコンテンツにはアクセスできない。第１参加者８１が応援グッズを用いて行った動作が、第１センサ３１により検出される。検出結果が、第１行動情報８１ｉとなる。検出結果が評価され、検出結果に応じて、コンテンツのアクセス制限が解除される。
【０２０２】
この例では、サービス提供装置２１１内の処理により、第１行動情報８１ｉが取得され、第１サービス８１ｓが提供される。他の機器との通信が省略できるため、高速の処理が可能になる。さらに、イベント会場における通信容量が増えることが抑制され、イベントの運営への負担が軽減される。この場合には、第１通信部３１ｃが省略されても良い。
【０２０３】
サービス提供装置２１１は、例えば、提供部３１ｐを含む。提供部３１ｐは、第１行動情報８１ｉに基づいて、アクセス許可信号を第１参加者８１に提供する。第１行動情報８１ｉは、イベントに参加しているときの、第１参加者８１の第１身体８１ｂの動き、第１身体８１ｂの状態、及び、第１参加者８１の声、の少なくともいずれかを含む。第１行動情報８１ｉは、例えば、第１参加者８１の画像データ、及び、第１参加者８１の声データから検出される。アクセス許可信号は、第１サービス８１ｓに関する情報のアクセス許可に関する信号である。第１サービス８１ｓに関する情報は、イベントにおいて第１参加者８１に保持される保持物３０に設けられた記憶部（例えば第１メモリ３１ｄ）に、アクセス制限状態で記憶されている。
【０２０４】
（第６の実施形態）
図１５は、第６の実施形態に係るサービス提供装置を例示する模式図である。  
本実施形態に係るサービス提供装置２１２は、例えば、実施形態に係るサービス提供システム１１０及び１１１などに用いられる。  
図１５に示すように、サービス提供装置２１２は、提供部３１ｐを含む。提供部３１ｐは、第１参加者８１の第１行動情報８１ｉに基づいて、第１サービス８１ｓを第１参加者８１に提供する。
【０２０５】
第１行動情報８１ｉは、イベントに参加しているときの第１参加者８１の第１身体８１ｂの動き、第１身体８１ｂの状態、及び、第１参加者８１の声、の少なくともいずれかを含む。第１行動情報８１ｉは、第１参加者８１の画像データ、及び、第１参加者８１の声データからを検出された、第１参加者８１の情報である。この第１行動情報８１ｉは、例えば、撮像部１１及びマイクロフォン１２の少なくともいずれかにより取得される。撮像部１１及びマイクロフォン１２は、例えば、イベントの会場内に設けられる。
【０２０６】
この例においては、サービス提供装置２１２は、第１通信部３１ｃを含む。取得された第１行動情報８１ｉは、第１通信部３１ｃにより入手される。第１通信部３１ｃにより入手された第１行動情報８１ｉが、サービス提供装置２１２内で評価される。評価結果に基づいて、第１サービス８１ｓが提供部３１ｐにより提供される。
【０２０７】
サービス提供装置２１２は、応援グッズを含む。応援グッズ内に、写真、映像、音楽、音声、割引券及び広告の少なくともいずれかを含む情報が格納されている。この情報は、例えば、複数のコンテンツを含む。例えば、いくつかのコンテンツには、アクセス制限が設けられている。第１参加者８１のイベントにおける動作が、撮像部１１及びマイクロフォン１２などにより検出される。検出結果が評価され、検出結果に応じて、コンテンツのアクセス制限が解除される。
【０２０８】
サービス提供装置２１２においては、例えば、イベントの会場に設けられる無線通信システム及びデジタルサイネージの少なくともいずれかのシステムにより得られる情報に応じて、複数のコンテンツのいずれかへのアクセスが可能になる。
【０２０９】
本実施形態においては、多くの参加者による大容量の通信を行わずに、複数の参加者のそれぞれに適合するサービスの提供が可能となる。
【０２１０】
サービス提供装置２１２において、第１行動情報８１ｉの評価は、サービス提供装置２１２とは別に行われても良い。評価結果の情報が、サービス提供装置２１２に送信されても良い。
【０２１１】
サービス提供装置２１２において、第１サービス８１ｓとなる複数のコンテンツは、サービス提供装置２１２とは別に設けられても良い。サービス提供装置２１２は、例えば、別に設けられた複数のコンテンツを、有線または無線の任意の通信システムを介して入手しても良い。
【０２１２】
サービス提供装置２１２において、ＰＯＳ及びインターネットなどのシステムにより得られる情報に応じて、複数のコンテンツのいずれかへのアクセスが可能になっても良い。
【０２１３】
サービス提供装置２１２は、携帯形の情報端末機器でも良い。例えば、この情報端末機器に、第１参加者８１の選択とは関係なく、複数のコンテンツ（画像、映像または音楽など）が保存されている。例えば、体調管理を行うためのウェアラブル機器により、ユーザの心拍が検出される。検出された結果に応じて、複数のコンテンツのいずれかへのアクセスが可能になる。この例においては、通信インフラシステムに負荷をかけることなく、それぞれのユーザに適合するサービスを提供することができる。
【０２１４】
例えば、ヒトまたは動物の状態が状態センサで検出される。状態センサは、例えば、加速度センサ（例えば第１センサ３１）、撮像部１１、マイクロフォン１２、及び、位置情報センサの少なくともいずれかを含む。位置情報センサは、例えば、衛星測位システム（例えばＧＰＳを含む）を含む。位置情報センサは、例えば、無線通信機を利用した測位システムを含む。状態センサは、体状態を検出するセンサを含んでも良い。体状態を検出するセンサは、体温、心拍、血圧及び発汗の少なくともいずれか測定する。
【０２１５】
状態センサの結果に応じたサービスが提供される。サービスは、複数のデータへのアクセスを段階的に有効にすることを含む。複数のデータへのアクセスは、例えば、複数のコンテンツのいずれかの提供を含む。複数のデータへのアクセスは、複数のコンテンツへのアクセス制限の解除を含む。
【０２１６】
複数のコンテンツは、例えば、画像、映像、音楽及び音声の少なくともいずれかを含む。複数のデータは、例えば、パスワード、暗証番号及びバーコードを含む。複数のデータは、インターネットサービス及びアプリケーションソフトウエアの少なくともいずれかに関する情報を含む。複数のデータは、コンテンツを操作するソフトウエアを含む。
【０２１７】
複数のデータは、例えば、情報機器（携帯端末機器、パーソナルコンピュータなど）に設けられる記憶媒体に格納される。複数のデータは、インターネット上に設置された記憶媒体に格納されても良い。これらの記憶媒体は、例えば、ディスクメディア（例えば、ハードディスク、ＤＶＤ及びＣＤを含む）、または、半導体メモリ（例えば、不揮発性半導体記憶装置など）などに格納される。
【０２１８】
実施形態は、状態センサの結果に応じて、記憶媒体に記録されたデータを段階的に有効にしていくことを含む。
【０２１９】
実施形態において、例えば、公共施設、商業施設、商店街、遊園地及び街中の少なくともいずれかを含む場所をユーザが移動している際に、その場所に設置されている近距離無線端末（ビーコン）から配信される情報を取得するウェアラブル端末に事前に登録された項目に合わせて、情報の選択が行われる。この際に、例えば、ウェアラブル端末には、個人情報は必要としない。例えば、設置されている近距離無線端末は、登録されている項目に限り、ユーザに情報を配信する。
【０２２０】
例えば、買い物の際に、ユーザの移動経路、または、商品の移動が、画像解析装置及び無線通信装置によって計測される。画像解析装置及び無線通信装置は、例えば、ユーザが使用するカート（カゴを含む）に内蔵される。画像解析装置及び無線通信装置は、施設内に設置されても良い。例えば、混雑時の周辺への配慮、及び、商品の出し入れの少なくともいずれかから推測される購入率を計測する。この時点では、個人情報の登録などは発生しない。購入率は、カートの情報として取り扱われ、購入率に応じたクーポンの発券などが行われる。
【０２２１】
ユーザに各種のサービスを提供するシステムがある。例えば、コンサートまたはスポーツなどのイベントに参加する参加者に適切なサービスを提供することが望まれる。実施形態によれば、イベントに参加する参加者に、より適したサービスを提供できるサービス提供システム及びサービス提供装置が提供できる。
【０２２２】
（第７の実施形態）  
第７の実施形態は、感動体験ＵＸに関するデータを蓄積するデータ構築方法に関する。第７の実施形態は、例えば第１の実施形態に関して説明した「ペルソナ」の生成の例に関する。
【０２２３】
第７の実施形態は、便利なデータ構築方法を提供する。第７の実施形態によれば、データ構築方法は、ニックネームを入手し、第１セット情報を前記ニックネームと関連づけて保存する。前記第１セット情報は、前記ニックネームに対応するユーザに提供された第１サービスの第１サービス認識情報と、前記ユーザが前記第１サービスに関して行った第１行動情報と、を含む。
【０２２４】
図１６は、第７の実施形態に係るデータ構築方法を例示する模式図である。  
図１６に示すように、本第７の実施形態に係るデータ構築方法においては、例えば、複数のユーザ３８０（例えば、第１ユーザ３８１及び第２ユーザ３８１など）のそれぞれについて、データ７０Ｄが構築される。
【０２２５】
データ７０Ｄは、例えば、記憶部７０に保存される。記憶部７０は、インターネット上の任意の場所に設けられる。記憶部７０は、例えば、クラウドサーバなどに設けられても良い。記憶部７０が複数の部分を有しており、複数の部分が、空間的に分離されて設けられても良い。記憶部７０は、無線及び有線のいずれかの方法によりアクセスできる。
【０２２６】
データ７０Ｄは、複数のユーザ３８０のそれぞれのニックネーム８０ｎに対応して構築される。複数のユーザ３８０のそれぞれは、複数のニックネーム８０ｎのそれぞれと対応づけられる。例えば、第１ユーザ３８１は、第１ニックネーム８１ｎと対応づけられる。第２ユーザ３８２は、第２ニックネーム８２ｎと対応づけられる。
【０２２７】
図１６の例では、第１ニックネーム８１ｎは、「＃＃ＡＣＢＤ」の文字列で表示されている。第２ニックネーム８２ｎは、「＃＃ＢＤＡＣ」の文字列で表示されている。例えば、ユーザ３８０により、ニックネーム８０ｎが定められる。ニックネーム８０ｎの文字列は、任意である。ニックネーム８０ｎに、例えばパスワードなどが組みあわされても良い。これにより、複数のユーザ３８０において同じニックネーム８０ｎが用いられる場合に、異なるユーザ３８０を識別することができる。
【０２２８】
ニックネーム８０ｎは、ユーザ３８０の本名とは異なる。例えば、ニックネーム８０ｎからユーザ３８０が特定できないように、ニックネーム８０ｎは設定可能である。ニックネーム８０ｎは、例えば、ユーザ３８０の個人情報を含まない。ニックネーム８０ｎは、例えば、ユーザ３８０の個人情報と関連づけられていない。ユーザ３８０が特定できる例えばメールアドレスと関連づけられないように、ニックネーム８０ｎは、設定可能である。例えば、個人が特定できるクレジットカードと関連づけられないように、ニックネーム８０ｎが設定可能である。
【０２２９】
ユーザ３８０に、各種のサービスＳ００が提供される。サービスＳ００は、例えば、イベントである。サービスＳ００は、例えば、イベントへの参加の案内を含んでも良い。ユーザ３８０は、そのサービスＳ００に関連して、行動する。例えば、ユーザ３８０は、案内されたイベントに参加する。例えば、ユーザ３８０は、案内されたイベントに関連する商品を購入する。
【０２３０】
サービスＳ００は、例えば、第７の実施形態に係るデータ構築方法を実施する実施者により、ユーザ３８０に提供されても良い。例えば、第７の実施形態に係るデータ構築方法を実施する実施者により、アプリケーションソフトウエア（管理アプリケーション）がユーザ３８０に提供される。アプリケーションソフトウエアにより、サービスＳ００がユーザ３８０に提供されても良い。
【０２３１】
または、サービスＳ００は、例えば、第７の実施形態に係るデータ構築方法を実施する実施者とは別の主体により、ユーザ３８０に提供されても良い。例えば、第７の実施形態に係るデータ構築方法を実施する実施者により、アプリケーションソフトウエア（管理アプリケーション）がユーザ３８０に提供される。第７の実施形態に係るデータ構築方法を実施する実施者とは別の主体によりユーザ３８０に提供されたサービスＳ００に関する各種の情報が、このアプリケーションソフトウエアによって、ユーザ３８０に受発信されても良い。
【０２３２】
例えば、ユーザ３８０には、複数のサービスＳ００（例えば第１サービスＳ０１及び第２サービスＳ０１など）が供給される。複数のサービスＳ００のそれぞれに対応して、そのサービスＳ００を特定するデータ（サービス認識情報ＤＳ００）が付与される。一方、ユーザ３８０の行動に対応して、データ（行動情報ＤＡ００）が付与される。
【０２３３】
例えば、第１ユーザ３８１に、第１サービスＳ０１が提供される。第１サービスＳ０１は、例えば、第１イベント（例えば、第１コンサート）である。第１サービスＳ０１は、第１サービス認識情報ＤＳ０１を有する。この例では、第１サービス認識情報ＤＳ０１は、「＃Ｓ１００１」の文字列（データ）である。この文字列は、任意のルールにより設定可能である。
【０２３４】
さらに、第１ユーザ３８１に、第２サービスＳ０２が提供される。第２サービスＳ０２は、例えば、第２イベント（例えば、第２コンサート）である。第２サービスＳ０２は、第２サービス認識情報ＤＳ０２を有する。この例では、第２サービス認識情報ＤＳ０２は、「＃Ｓ２００７」の文字列（データ）である。この文字列も、任意のルールにより設定可能である。
【０２３５】
このように、複数のサービスＳ００（例えばイベント）のそれぞれに対応して、ＩＤ番号（サービス認識情報ＤＳ００であり、例えばイベント番号）が設けられる。
【０２３６】
第１ユーザ３８１は、第１サービスＳ０１（第１イベントである第１コンサート）に参加する。参加の申し込みの行動が、第１ユーザ３８１により行われる。この行動により、例えば、入場券が購入される。さらに、第１ユーザ３８１は、第１サービスＳ０１（第１コンサート）に関連して、第１コンサート中に使用する物品（例えば図１０に関して説明した保持物３０など）を購入する。物品は、グッズ３００に対応する。この物品は、例えば、第１コンサートで用いる応援のための発光装置である。さらに、第１ユーザ３８１は、第１コンサートで演奏される音楽のソフトウエアなどを購入する。第１ユーザ３８１は、第１コンサート中で、応援の行動を行う。
【０２３７】
例えば、第１ユーザ３８１のこのような行動のそれぞれに、行動情報ＤＡ００が付与される。例えば、第１ユーザ３８１が第１サービスＳ０１に関して行った行動には、第１行動情報ＤＡ０１が付与される。複数の第１行動情報ＤＡ０１が設けられても良い。
【０２３８】
図１６の例では、第１サービスＳ０１に関する第１ユーザ３８１の第１行動情報ＤＡ０１は、「＃Ａ１００１」、「＃Ａ１００２」、「＃Ａ１００３」及び「＃Ａ１００４」などの文字列（データ）を含む。例えば、「＃Ａ１００１」の文字列は、上記の「参加の申し込み」（入場券の購入）に対応する。例えば、「＃Ａ１００２」の文字列は、上記の「物品の購入」に対応する。例えば、「＃Ａ１００３」の文字列は、上記の「ソフトウエアなどの購入」に対応する。例えば、「＃Ａ１００４」などの文字列は、「応援の行動の程度」を含む。「応援の行動の程度」の例については、後述する。このように、第１行動情報ＤＡ０１は、第１ユーザ３８１が第１サービスＳ０１に関して行った行動に関する種々の情報を含む。
【０２３９】
例えば、第１ユーザ３８１は、第２サービスＳ０２（第２イベントである第２コンサート）について、他の人に通知する。さらに、第１ユーザ３８１は、第１サービスＳ０２（第２コンサート）に関連して、第２サービスＳ０２に関する感想を発信する。
【０２４０】
例えば、第１ユーザ３８１が第２サービスＳ０２に関して行った行動には、第２行動情報ＤＡ０２が付与される。この場合も、複数の第２行動情報ＤＡ０２が設けられる。
【０２４１】
図１６の例では、第２サービスＳ０２に関する第１ユーザ３８１の第２行動情報ＤＡ０２は、「＃Ａ２０１０」及び「＃Ａ２０１９」などの文字列（データ）を含む。例えば、「＃Ａ２０１０」の文字列は、上記の「他の人へ通知」に対応している。例えば、「＃Ａ２０１９」の文字列は、上記の「感想の発信」に対応する。このように、第２行動情報ＤＡ０１は、第１ユーザ３８１が第２サービスに関して行った行動に関する種々の情報を含む。
【０２４２】
第７の実施形態においては、サービスＳ００を特定するデータ（サービス認識情報ＤＳ００）と、ニックネーム８０ｎに対応するユーザ３８０の行動に対応するデータ（行動情報ＤＡ００）と、の組みが、セット情報ＤＳＥＴ００として扱われる。セット情報ＤＳＥＴ００は、複数のサービスＳ００に対応する。
【０２４３】
第７の実施形態において、セット情報ＤＳＥＴ００は、１つのニックネーム８０ｎに固有である。すなわち、セット情報ＤＳＥＴ００は、複数のユーザ３８０のそれぞれに固有である。例えば、第１ニックネーム８１ｎに固有のセット情報ＤＳＥＴ８１が、第１ニックネーム８１ｎに関連づけられる。第１ニックネーム８１ｎに固有のセット情報ＤＳＥＴ８１は、例えば、第１サービスＳ０１に関する第１セット情報ＤＳＥＴ０１、及び、第２サービスＳ０２に関する第２セット情報ＤＳＥＴ０２などを含む。
【０２４４】
このように、ユーザ３８０のそれぞれに、複数のサービスＳ００が提供される。複数のユーザ３８０のそれぞれにおいて、サービスＳ００に関連する情報が、保存される。保存される情報（データ）は、サービスＳ００を特定する情報（サービス認識情報ＤＳ００）と、サービスＳ００に関するユーザ３８０の行動の情報（行動情報ＤＡ００）と、を含む。この保存される情報（データ）は、ユーザ３８０のニックネーム８０ｎと関連つけられて保存される。これにより、保存された情報（データ）は、ユーザ３８０の個人が特定されなくても、そのユーザ３８０のサービスＳ００に関する行動の履歴を含む。行動の履歴に関する情報が、個人を特定する情報と関連づけられないことが可能である。このため、セキュリティ管理が容易である。データの利用範囲が拡大し、便利である。
【０２４５】
例えば第１ユーザ３８１に対応する第１ニックネーム８１ｎに関連づけて、第１ユーザ３８１に対応するセット情報ＤＳＥＴ８１が保存される。保存された情報（データ）は、第１ユーザ３８１の個人が特定されなくても、第１ユーザ３８１のサービスＳ００に関する行動の履歴を含む。これにより、第１ユーザ３８１（すなわち、第１ニックネーム８１ｎ）に対応するサービスの嗜好が把握できる。
【０２４６】
第７の実施形態において、セット情報ＤＳＥＴ００は、複数のユーザ３８０のそれぞれに固有である。例えば、第２ユーザ３８２に対応して第２ニックネーム８２ｎが設けられる。第２ニックネーム８２ｎに固有のセット情報ＤＳＥＴ８１が、第２ニックネーム８２ｎに関連づけられる。第２ニックネーム８２ｎに対応するセット情報ＤＳＥＴ８２は、例えば、第１サービスＳ０１に関する第１セット情報ＤＳＥＴ０１、及び、第２サービスＳ０２に関する第２セット情報ＤＳＥＴ０２などを含んでも良い。例えば、第２ニックネーム８２ｎに対応する第１サービスＳ０１に関する第１セット情報ＤＳＥＴ０１は、第１ニックネーム８１ｎに対応する第１サービスＳ０１に関する第１セット情報ＤＳＥＴ０１とは異なっても良い。例えば、第２ニックネーム８２ｎに対応する第２サービスＳ０２に関する第２セット情報ＤＳＥＴ０２は、第１ニックネーム８１ｎに対応する第２サービスＳ０２に関する第２セット情報ＤＳＥＴ０２とは異なっても良い。
【０２４７】
このように、第７の実施形態においては、データ構築方法は、ニックネーム８０ｎ（第１ニックネーム８１ｎなど）を入手する。そして、そのニックネーム８０ｎに対応するユーザ３８０（第１ユーザ３８１）に提供された第１サービスＳ０１の第１サービス認識情報ＤＳ０１と、そのユーザ３８０（第１ユーザ３８１）が第１サービスＳ０１に関して行った第１行動情報ＤＡ０１と、を含む第１セット情報ＤＳＥＴ０１を、ニックネーム８０ｎ（第１ニックネーム８１ｎ）と関連づけて保存する。保存は、例えば、記憶部７０に行われる。
【０２４８】
さらに、第７の実施形態に係るデータ構築方向においては、そのユーザ３８０（第１ユーザ３８１）に提供された第２サービスＳ０２の第２サービス認識情報ＤＳ０２と、ユーザ３８０（第１ユーザ３８１）が第２サービスＳ０２に関して行った第２行動情報ＤＡ０２と、を含む第２セット情報ＤＳＥＴ０２を、ニックネーム８０ｎ（第１ニックネーム８１ｎ）と関連づけてさらに保存する。この保存も、例えば、記憶部７０に行われる。
【０２４９】
ユーザ３８０のそれぞれに設けられるニックネーム８０ｎに対応して、このような複数のサービスＳ００に関する行動のデータが蓄積される。蓄積されたデータは、そのユーザ３８０の嗜好を的確に表現している。ユーザ３８０が特定されない状態でも、そのユーザ３８０の嗜好に関するデータが効率的に得られる。
【０２５０】
このようなデータを用いることで、対象の嗜好の傾向が把握できる。この嗜好の傾向に応じて、適切なサービスを提供することができる。さらに、データは、ユーザ３８０の個人名ではなくニックネーム８０ｎと関連づけられる。このようなデータは、ユーザ３８０の個人を特定する情報と関連づけられないことが可能である。このため、セキュリティ管理が容易である。データの利用範囲が拡大し、便利である。
【０２５１】
このように、第７の実施形態に係るデータ構築方法においては、ニックネーム８０ｎを入手する。そして、ニックネーム８０ｎに対応するユーザ３８０に関する複数のセット情報ＤＳＥＴ００を、そのニックネーム８０ｎと関連づけて保存する。複数のセット情報ＤＳＥＴ００のそれぞれは、複数のサービス認識情報ＤＳ００のそれぞれと、複数の行動情報ＤＡ００のそれぞれと、を含む。複数のサービス認識情報ＤＳ００のそれぞれは、そのニックネーム８０ｎに対応するユーザ３８０に提供される複数のサービスＳ００のそれぞれに設けられている。複数の行動情報ＤＡ００のそれぞれは、そのユーザが複数のサービスＳ００に関して行った複数の行動のそれぞれに関する。
【０２５２】
複数のサービスＳ００に対応して、複数のセット情報ＤＳＥＴ００を蓄積することで、ニックネーム８０ｎに対応する嗜好に関する情報が蓄積される。すなわち、複数のサービスＳ００に対応して、複数のセット情報ＤＳＥＴ００を蓄積することで、例えばクラウド上にペルソナデータが蓄積される。ペルソナデータは、ユーザ３８０に対応するニックネーム８０ｎと対応づけられる。例えば、複数のユーザ３８０のそれぞれに対応するペルソナが、プラットフォーム上に生成される。このペルソナは、個人を特定されないように設定可能である。このペルソナは、ユーザ３８０のそれぞれの嗜好を効率的に反映している。
【０２５３】
第７の実施形態において、ユーザ３８０は、例えば、インターネット回線を通じて、記憶部７０とのデータの授受を行う。例えば、クラウド上に、サーバが設けられ、サーバを経由して、記憶部７０との通信が可能である。
【０２５４】
例えば、データ構築方法を実施する実施者により、アプリケーションソフトウエア（管理アプリケーション）がユーザ３８０に提供される。アプリケーションソフトウエアの実行により、例えば、所定のポータルサイトにアクセスできる。このポータルサイト上において、例えば、所定の入力画面が設けられる。入力画面により、ユーザ３８０のそれぞれは、ニックネーム８０ｎを登録する。例えば、ニックネーム８０ｎと共に、パスワードが設定される。
【０２５５】
ニックネーム８０ｎの登録により、例えば、ユーザ３８０のそれぞれに対応するデータを保存する場所（ソフトウエア上で規定されるメモリ領域）が設定される。メモリ領域に、複数のセット情報ＤＳＥＴ００が保存可能となる。
【０２５６】
行動情報ＤＡ００は、イベントの前後におけるユーザの行動を含んでもよい。例えば、イベント前の下調べ、参加証や応援を行う物品（グッズ）などの選択、購入、準備調整などの行動を含む。具体的には、例えば、ユーザが応援グッズの販売サイトにてシステム共通のニックネームを登録すると、システムにてデータの結び付けが実施される。このとき、ユーザに提案されている部品、プログラム、または、サービスの選択過程におけるクリック操作またはタップ操作などを記録しておく。これら操作の最終決定の組み合わせを記録しておく。また、同様のニックネームを用いて利用が許可される現実のコミュニティサイト、及び、インターネット上のコミュニティサイトがある場合、このようなコミュニティサイトにてユーザの許可のもとに公開された作例などを関連付けてもよい。この作例には、例えば、ユーザ自身によるプログラムの改造、及び、ハードウェアの改造なども含まれる。そのときに、新規の行動データ番号がサイト内で新たに登録される。
【０２５７】
以下同様に、現実及びインターネット上でのサービスに関して、ユーザ自身の手により同様のニックネームが使用される。同様のニックネームを使用したサービスを利用するときに、予め設定されたルールに基づき行動データの結び付けが実施される。データの結びつけ先との結び付けの強度は、管理者による手動設定、または、自動化されたプログラムにより実施される。
【０２５８】
また、行動情報ＤＡ００は、例えば、イベント前に友人と相談またはコミュニティで相談する行為、友人またはコミュニティとの連絡手段、相談の内容、さらには、グッズに関する操作の履歴などを含むことができる。
【０２５９】
行動情報ＤＡ００は、例えば、イベント後にデータの確認を行う行為、コミュニティにアクセスする行為、購買行動、関連する写真・動画・音声・テキストの視聴、広告の視聴、プログラムのダウンロード、イベントに関するゲームへの参加及びそのゲームのプレイ内容、及び次回のイベントに関すること、などを含むことができる。さらに、行動情報ＤＡ００は、例えば、イベントに関するコミュニケーション内容、能動的な発言、支援行動、クレーム、批評、他者への攻撃的な発言、及びユーザが受動的に受ける行為などを含んでもよい。
【０２６０】
事前にコンテンツ類に付加されたタグまたはキーワードにより、行動データの結び付けが実施される。行動データの結び付けは、管理者による手動設定としてもよく、プログラムによる画像解析、音声解析、テキスト解析などを用いた自動設定としてもよい。データの結び付けのルールは、サービス期間中に変更されてもよい。
【０２６１】
第７の実施形態において、サービス認識情報ＤＳ００（例えば、第１サービス認識情報ＤＳ０１及び第２サービス認識情報ＤＳ０２など）は、ユーザ３８０によって入力されても良い。例えば、アプリケーションソフトウエアの実行により、ユーザ３８０に対応するニックネーム８０ｎに対応づけられた入力画面が提供される。
【０２６２】
ユーザ３８０は、入力画面に、例えば、サービスＳ００（例えばイベント）の名前や識別番号などを入力する。そして、ユーザ３８０は、サービスＳ００（例えば、イベント）に関して実施した行動に対応する識別番号などを、入力する。例えば、購入した物品などの識別情報を入力する。入力は、名前、記号及び番号などの入力を含んでも良い。入力は、例えば、バーコードまたは２次元コードなどによる入力を含んでも良い。入力は、例えば、物品などに設けられるメモリ素子などによる入力を含む。メモリ素子は、例えば、電気的、磁気的及び光学的の少なくともいずれかの方法により、情報を記録可能である。このようなメモリ素子を用いて、購入した物品などの識別情報が入力されても良い。
【０２６３】
このように、例えば、第１サービス認識情報ＤＳ０１及び第１行動情報ＤＡ０１の少なくともいずれかは、ユーザ３８０により入力される。例えば、第２サービス認識情報ＤＳ０２及び第２行動情報ＤＡ０２の少なくともいずれかは、ユーザ３８０により入力される。
【０２６４】
ユーザ３８０による入力は、サービスＳ００（イベントなど）に関する物品を購入する際に、その物品の購入行動と連動する許可信号の送信によって行われても良い。例えば、物品を購入すると、この購入情報に基づいて、照会が行われる。この照会においては、その物品を購入したという情報を、第７の実施形態に係るデータ構築方法と連動するサーバに送信することを許可するか否かが、ユーザ３８０に問われる。この照会は、例えば、ユーザ３８０が使用可能なブラウザにおける画面において行われる。ユーザ３８０が、購入したという情報を送信することを許可し、そのユーザ３８０に対応するニックネーム８０ｎ（及びパスワード）を入力する。これにより、購入したという情報が、ニックネーム８０ｎに対応づけて保存される。
【０２６５】
一方、参考例においては、ユーザが物品などを購入した際に、購入したという情報が、そのユーザの入力ではなく、自動的に送信され、蓄積される。この場合には、そのユーザが物品を購入する際に使用した個人情報（名前、住所、メールアドレス、または、クレジットカード情報など）と、購入したという情報と、が関連づけられる。このため、個人情報について、高度なセキュリティ管理が必要である。
【０２６６】
これに対して、第７の実施形態において、第１サービス認識情報ＤＳ０１及び第１行動情報ＤＡ０１の少なくともいずれかが、ユーザ３８０により入力される場合には、入力された行動情報（購入情報）は、ニックネーム８０ｎとの関係づけが行われる。入力された行動情報は、ユーザ３８０の個人情報と関連づけられないようにすることが可能である。従って、セキュリティ管理が容易になる。
【０２６７】
第７の実施形態に係るデータ構築方法は、ユーザ３８０に第１サービス認識情報ＤＳ０１及び第１行動情報ＤＡ０１の少なくともいずれかの入力を促しても良い。例えば、ユーザ３８０のニックネーム８０ｎに対応する画面上に、第１サービス認識情報ＤＳ０１に対応するイベントの名前などが表示され、第１行動情報ＤＡ０１に対応する物品名（商品名）などが表示される。そして、画面上に、「この物品を登録しますか？」などの表示が行われる。この表示に基づいて、ユーザ３８０が、第１サービス認識情報ＤＳ０１及び第１行動情報ＤＡ０１の少なくともいずれかの情報を入力することで、この情報が、ニックネーム８０ｎに関連づけられて保存される。さらに、許可の入力キーを選択することで、第１サービス認識情報ＤＳ０１及び第１行動情報ＤＡ０１の少なくともいずれかの情報が、ニックネーム８０ｎに関連づけられて保存される。
【０２６８】
第７の実施形態において、ユーザ３８０が第１サービス認識情報ＤＳ０１及び第１行動情報ＤＡ０１の少なくともいずれかの情報を入力することを望むようになる構成が設けられても良い。
【０２６９】
例えば、サービスＳ００の種類に応じて、得点が設定される。さらに、サービスＳ００に関する行動の種類と行動の程度に応じて、得点が設定される。ユーザ３８０は、この得点を増加させることを希望する。例えば、ユーザ３８０に対応するニックネーム８０ｎ応じて図形（グラフなど）などが設けられる。そして、得点に応じて、図形が変化する。この図形は、例えば、ポータルサイトの特定の場所に表示される。例えば、得点をニックネーム８０ｎと共に公開出来ても良い。得点に対応する図形をニックネーム８０ｎと共に公開しても良い。例えば、複数のユーザ３８０の１人は、他のユーザ３８０に対応するニックネーム８０ｎの得点（及び図形など）を閲覧できる。複数のユーザ３８０において、所定の図形を得ることが希望される。例えば、このような構成により、ユーザ３８０は、サービスＳ００及びそれに対応する行動情報ＤＡ００を、積極的に入力することを希望するようになる。このような構成により、ユーザ３８０（ニックネーム８０ｎ）に対応する種々のデータを効率的に集めることができる。
【０２７０】
このように、第７の実施形態においては、第１行動情報ＤＡ０１の評価結果（上記の得点、及得点に応じた図形など）を表示する。この表示は、その第１行動情報ＤＡ０１に対応するユーザ３８０ではないユーザ３８０が、閲覧可能でも良い。
【０２７１】
例えば、第１行動情報ＤＡ０１に対応する評価基準が定められても良い。例えば、第１行動情報ＤＡ０１が、サービスＳ００（例えば、コンサートなど）である場合に、行動の種類に応じて評価の得点が付与される。この得点（評価基準）に基づいて、第１行動情報ＤＡ０１が評価されても良い。評価基準に応じた第１行動情報ＤＡ０１が表示されても良い。すなわち、第１行動情報ＤＡ０１について、重み付けによる評価が行われても良い。
【０２７２】
以下、サービスＳ００の例について、説明する。  
例えば、ユーザ３８０が、物品の購買、ソフトウエアの購買、物品の借用、または、ソフトウエアの借用などを行う場合は、サービスＳ００は、物品またはソフトウエアに対応する。
【０２７３】
例えば、ユーザ３８０が、イベントなどに参加する場合がある。この場合には、サービスＳ００（第１サービスＳ０１及び第２サービスＳ０２など）は、例えば、イベント（第１イベント）を含む。イベントは、ユーザ３８０（第１ユーザ３８１及び第２ユーザ３８２など）が参加可能である。
【０２７４】
イベントは、例えば、コンサート、競技会、祭り、展示会及び販売会などを含む。競技会は、例えば、スポーツに関する。競技会は、例えば、ゲーム（カードゲーム、ボードゲーム及び電子ゲーム）を含んでも良い。イベントは、例えば、学園祭、結婚式、旅行または誕生日会などを含んでも良い。イベントには、複数のユーザ３８０が参加しても良い。イベントの種々の例については、後述する。
【０２７５】
イベントには、例えば、パフォーマが存在する。パフォーマは、例えば、歌手、役者、舞踏者、アーティスト、スポーツ選手、及び、ゲームの実行者の少なくともいずれかを含む。パフォーマは、イベントに関する製作者または制作物を含んでも良い。パフォーマは、例えば、映画などの録画映像、アート作品、料理及び製品を含む。パフォーマは、イベントに参加する別のユーザを含んでも良い。
【０２７６】
以下では、説明を簡単にするために、イベントが、歌手のコンサートである場合について説明する。
【０２７７】
第１ユーザ３８１は、コンサートに参加する。第１ユーザ３８１は、視聴者である。第１ユーザ３８１は、コンサートに参加しているときに、パフォーマ（例えば、歌手）を応援する行動を取る。例えば、パフォーマの状態に合わせて、手拍子をしたり、声をだしたり、体を揺らしたり、そして、ダンスをしたりする。この例の場合、パフォーマの状態は、パフォーマの歌、音楽及びダンスの少なくともいずれかの状態を含む。パフォーマの状態は、照明、ガス放出、及び、振動の少なくともいずれかの状態を含んでも良い。
【０２７８】
例えば、第１ユーザ３８１は、光を発生するペンライトなどの物品を持っている場合がある。物品の例については、後述する。第１ユーザ３８１は、パフォーマの歌やダンスに合わせて、物品を動かす場合がある。このような第１ユーザの行動は、第１行動情報ＤＡ０１に含まれる。
【０２７９】
例えば、第１行動情報ＤＡ０１が評価される。例えば、第１ユーザ３８１のペンライトの動きの、パフォーマの状態（動きや音楽のリズムなど）への適合の程度が評価される。例えば、このような評価の結果が基準に達している場合に、第１行動情報ＤＡ０１について高い得点が付与される。
【０２８０】
一方、第１ユーザ３８１は、第１サービスＳ０１（第１イベント、すなわち、コンサート）に関連する物品を入手する（例えば、購入する）。第１行動情報ＤＡ０１は、この物品の入手に関する情報を含んでも良い。すなわち、第１行動情報ＤＡ０１は、ユーザ３８０（第１ユーザ３８１）が入手し第１イベントに関する物品に関する情報（物品情報）を含んでも良い。
【０２８１】
物品は、第１サービスＳ０１（第１イベント、すなわち、コンサート）中に、第１ユーザ３８１において保持されても良い。物品に、加速度センサなどが設けられても良い。センサにより、物品の動きが検出され、結果として、第１ユーザ３８１の行動が検出できる。
【０２８２】
第７の実施形態における物品は、例えば、第２〜第６の実施形態に関して説明した保持物３０を含んでも良い。例えば、物品は、図９（ａ）〜図９（ｃ）に例示した、発光装置３０ａ、旗状体３０ｂ、扇状体３０ｃ、布状体３０ｄ、拡声器３０ｅ、マイクロフォン３０ｆ、腕輪３０ｇ、首輪３０ｈ、時計３０ｉ、指輪３０ｊ、眼鏡３０ｋ、衣服３０ｌ、靴３０ｍ、手袋３０ｎ及び帽子３０ｏの少なくともいずれかを含む。
【０２８３】
これらの物品（例えば保持物３０）にセンサ３１が設けられる。センサ３１は、例えば、加速度センサを含む。センサ３１は、第１ユーザ３８１の身体の動きを含む情報（第１行動情報ＤＡ０１）に含まれる）を検出する。センサ３１は、第１ユーザ３８１の身体の少なくとも一部の、加速度、速度及び移動方向の少なくともいずれかを検出する。センサ３１がマイクロフォンを含むとき、センサ３１は、第１ユーザ３８１の声を含む情報（第１行動情報ＤＡ０１）に含まれる。
【０２８４】
第７の実施形態において、物品として用いられる発光装置３０ａは、図１０について説明した構成を有しても良い。第１メモリ３１ｄは、検出結果に関する情報を格納（記憶）する。第１メモリ３１ｄは、第１処理装置３１ｂの動作に関する情報を格納（記憶）する。第１メモリ３１ｄは、ユーザ３８０に提供される別のサービス（第１サービスＳ０１とは異なるサービスＳ００）に関する情報を格納（記憶）しても良い。
【０２８５】
このように、物品（保持物３０）は、発光装置、旗状体、団扇状体、布状体、拡声器、マイクロフォン、腕輪、首輪、時計、指輪、眼鏡、衣服、靴、手袋、帽子、ヘッドホン、イヤホン、補聴器及びアクセサリの少なくともいずれかを含むでも良い。
【０２８６】
例えば、第１行動情報ＤＡ０１は、これらの物品の認識情報を含む。第１行動情報ＤＡ０１は、これらの物品を第１ユーザ３８１が入手（例えば購入）したという情報を含んでも良い。これらの物品とニックネーム８０ｎとが関連づけられており、これらの物品を誰（個人）が所有しているかは、特定されなくて良い。
【０２８７】
さらに、第１行動情報ＤＡ０１は、ユーザ３８０（例えば、第１ユーザ３８１）が第１イベントに参加しているときの情報（参加中情報）を含んでいても良い。この参加中情報は、例えば、ユーザ３８０（例えば、第１ユーザ３８１）の身体の動き、ユーザ３８０（例えば、第１ユーザ３８１）の状態、及び、ユーザ３８０（例えば、第１ユーザ３８１）の声、の少なくともいずれかに関する情報を含んでも良い。
【０２８８】
さらに、上記の物品は、上記の参加中情報を取得しても良い。取得された参加中情報は、ユーザ３８０により入力されても良い。入力は、例えば、ポータルサイトを介して、記憶部７０に保存される。
【０２８９】
さらに、第１行動情報ＤＡ０１は、ユーザ３８０の第１サービスＳ０１（第１イベントなど）に関しての、受信する情報、発信する情報、及び、検出する情報などを含んでも良い。発信する情報は、第１サービスＳ０１についての改善すべき点などを含んでも良い。これらの情報の種類によって、評価基準が設けられ、評価基準に基づく評価が行われても良い。
【０２９０】
以下、行動情報（例えば第１行動情報ＤＡ０１）の評価において、図１２に関して説明した評価項目などにより行われても良い。第１行動情報ＤＡ０１は、例えば、評価項目に基づいて評価される。例えば、センサ３１により検出された第１ユーザ３８１の第１身体の運動が評価される。評価結果が、例えばレーダチャート（図１２参照）によって表示される。評価結果は、例えば、グラフ、記号、イラスト、パターン及びアバター（人型・人形）の少なくともいずれかにより表示されても良い。評価結果は、例えば、気体及び液体の少なくともいずれかにより表現されても良い。評価結果は、表示される画像の構成の変化（漫画のコマ割りの変化など）により表示されても良い。表示の大小や色の変化によって表示されてもよい。評価結果の可視化表現は、イベント毎に様々な表現が適用されても良い。
【０２９１】
評価結果は、画面表示以外にも、ユーザの身に着ける機器や周囲の機器、空間による演出から提供されても良い。光源の点灯、明滅、音声、香り、振動、皮膚への刺激、味による変化による提供もしくはその組み合わせで提供されても良い。
【０２９２】
評価項目は、例えば、パフォーマとのシンクロ度Ｅ１を含む。シンクロ度Ｅ１は、第１ユーザ３８１の行動と、パフォーマの動きと、のタイミングの一致度を含む。
【０２９３】
評価項目は、他のユーザ（例えば第２ユーザ３８２）とのシンクロ度Ｅ２を含む。シンクロ度Ｅ２は、第１ユーザ３８１の動きと、第１ユーザ３８１とは異なる他のユーザ（第２ユーザ３８２）の動きと、のタイミングの一致度を含む。
【０２９４】
評価項目は、例えば、動きの完成度Ｅ３を含む。動きの完成度Ｅ３は、第１ユーザ３８１の動き（例えばダンス）と、予め定められた動きと、の一致度を含む。動きの完成度Ｅ３は、動きの大きさ及び時間を含んでも良い。動きの大きさは、第１ユーザ３８１の第１身体の移動する範囲の大きさである。動きの時間は、第１ユーザ３８１の第１身体が運動している時間の長さである。
【０２９５】
例えば、センサ３１、撮像部及びマイクロフォンの少なくともいずれかにより得られるデータが、パフォーマとのシンクロ度Ｅ１、他のユーザとのシンクロ度Ｅ２、及び、動きの完成度Ｅ３の評価項目に基づいて評価される。
【０２９６】
評価項目は、例えば、熱中度Ｅ４を含んでも良い。熱中度Ｅ４は、例えば、第１ユーザ３８１の集中度を含んでも良い。例えば、第１身体の、心拍数及び血圧の少なくともいずれかを含むデータが、熱中度Ｅ４の評価項目として評価される。
【０２９７】
評価項目は、例えば、貢献度Ｅ５を含んでもよい。貢献度Ｅ５は、イベントをより良く実施するための、行動（発言）の評価を含む。例えば、この行動（発言を含む）は、例えば、第１ユーザ３８１の自発的な行動を含んでも良い。例えば、貢献度Ｅ５は、イベントを褒める行動（発言を含む）を含んでもよい。貢献度Ｅ５は、イベントに関する改善点を提案する行動（発言を含む）を含んでもよい。貢献度Ｅ５は、イベントにおけるトラブルを解消するための行動（発言を含む）を含んでもよい。例えば、イベントの会場における第１ユーザ３８１の行動（発言を含む）に関する情報が、センサ３１、撮像部、マイクロフォンなどにより取得される。情報の入手は、Ｗｅｂなどのインターネットからの入手を含む。このような情報が、貢献度Ｅ５のデータとして評価される。
【０２９８】
評価項目は、例えば、協力度Ｅ６を含んでもよい。協力度Ｅ６は、例えば、イベントの運営に関わる指示への順守度などを含む。例えば、運営に関わる指示は、例えば、イベント会場内での移動の指示（入退場の指示、休憩の指示及び座席指示などを含む）などを含む。運営に関わる指示は、例えば、イベントの開催前及びイベントの開催後に行われる指示を含んでも良い。
【０２９９】
例えば、第７の実施形態の１つの例においては、入手された第１行動情報ＤＡ０１を、評価項目（例えば図２０に関して説明した評価項目など）に基づいて評価する。評価の結果に基づいて、提供される別のサービスＳ００を変更しても良い。評価項目は、例えば、第１関連度を含む。第１関連度は、イベントで提供される、音楽及び映像の少なくともいずれかを含む提供情報と、第１行動情報ＤＡ０１と、の間の相関を含む。第１関連度は、例えば、パフォーマとのシンクロ度Ｅ１を含む。
【０３００】
評価項目は、例えば、第２関連度を含んでも良い。第２関連度は、イベントに参加する第２ユーザ３８２のイベントに関する行動に関する第２行動に関する第２行動情報と、第１行動情報ＤＡ０１と、の間の相関を含む。第２関連度は、第２ユーザ３８２とのシンクロ度Ｅ２を含む。  
以上のように、第７の実施形態において、評価項目は、種々の変形が可能である。
【０３０１】
ユーザが利用したサービスに関する情報を集計して、ユーザに適した情報を提供することが行われている。便利に使えるデータベースを構築することが望まれている。第７の実施形態によれば、便利なデータ構築方法が提供できる。
【０３０２】
第７の実施形態としてデータ構築方法を例示して説明したが、第７の実施形態は、このデータ構築方法をコンピュータに実行させるためのデータ構築プログラムの形態としてもよい。第７の実施形態に係るデータ構築プログラムは、以下の第１〜第８の特徴を有する。
【０３０３】
第１の特徴に係るデータ構築プログラムは、ニックネームを入手し、前記ニックネームに対応するユーザに提供された第１サービスの第１サービス認識情報と、前記ユーザが前記第１サービスに関して行った第１行動情報と、を含む第１セット情報を前記ニックネームと関連づけて保存する。
【０３０４】
第２の特徴に係るデータ構築プログラムは、第１の特徴において、前記ユーザに提供された第２サービスの第２サービス認識情報と、前記ユーザが前記第２サービスに関して行った第２行動情報と、を含む第２セット情報を前記ニックネームと関連づけてさらに保存する。
【０３０５】
第３の特徴に係るデータ構築プログラムは、第１または第２の特徴において、前記第１サービスは、前記ユーザが参加可能な第１イベントを含む。
【０３０６】
第４の特徴に係るデータ構築プログラムは、第３の特徴において、前記第１行動情報は、前記ユーザが入手し前記第１サービスに関する物品に関する物品情報を含む。
【０３０７】
第５の特徴に係るデータ構築プログラムは、第３または第４の特徴において、前記第１行動情報は、前記ユーザが前記第１イベントに参加しているときの、前記ユーザの身体の動き、前記ユーザの状態、及び、前記ユーザの声、の少なくともいずれかに関する情報を含む。
【０３０８】
第６の特徴に係るデータ構築プログラムは、第１〜第５のいずれか１つの特徴において、前記第１サービス認識情報及び前記第１行動情報の少なくともいずれかは、前記ユーザにより入力される。
【０３０９】
第７の特徴に係るデータ構築プログラムは、第１〜第６のいずれか１つの特徴において、前記第１行動情報の評価結果を表示する。
【０３１０】
第８の特徴に係るデータ構築プログラムは、第１〜第７のいずれか１つの特徴において、前記ニックネームは、前記ユーザの個人情報を含まない。
【０３１１】
第７の実施形態は、上記のデータ構築プログラムを記録したコンピュータ読み取り可能な記録媒体の形態としてもよい。第７の実施形態に係る記録媒体としては、具体的には、ＣＤ-ＲＯＭ（-Ｒ／-ＲＷ）、光磁気ディスク、ＨＤ（ハードディスク）、ＤＶＤ-ＲＯＭ（-Ｒ／-ＲＷ／-ＲＡＭ）、ＦＤ（フレキシブルディスク）、フラッシュメモリ、メモリカードや、メモリスティック及びその他各種ＲＯＭやＲＡＭ等が想定でき、これら記録媒体に上述した第７の実施形態のデータ構築方法をコンピュータに実行させるためのデータ構築プログラムを記録して流通させることにより、当該方法の実現を容易にする。そしてコンピュータ等の情報処理装置に上記のごとくの記録媒体を装着して情報処理装置によりデータ構築プログラムを読み出すか、若しくは情報処理装置が備えている記憶媒体に当該データ構築プログラムを記憶させておき、必要に応じて読み出すことにより、第７の実施形態のデータ構築方法を実行することができる。
【０３１２】
実施形態は、例えば、以下の構成を含む。  
（構成１）  
第１ユーザの身に着けられた、または、前記第１ユーザの保持物に設けられた第１センサで検出された第１データの少なくとも一部を、前記第１ユーザの識別情報に紐付けられた第１コンテクスト情報として蓄積し、
前記蓄積された前記第１コンテクスト情報の第１集合体を基にした第１サービスを前記第１ユーザに提供する、サービス提供システム。
（構成２）  
複数の前記第１コンテクスト情報を蓄積し、
前記蓄積された前記複数の第１コンテクスト情報の前記第１集合体を基に、前記第１ユーザの特性を推定し、
前記第１ユーザの前記特性を基にして前記第１サービスを定める、構成１記載のサービス提供システム。
（構成３）  
第２ユーザの身に着けられた、または、前記第２ユーザの保持物に設けられた第２センサで検出された複数の第２データの少なくとも一部を、前記第２ユーザの識別情報に紐付けられた複数の第２コンテクスト情報として蓄積し、
前記蓄積された前記複数の第２コンテクスト情報の第２集合体を基に、前記第２ユーザの特性を推定し、
前記推定された前記第２ユーザの前記特性と、前記推定された前記第１ユーザの前記特性と、の差が基準よりも小さいときに、前記第１データの前記少なくとも一部に基づく第２サービスを前記第２ユーザに提供する、構成２記載のサービス提供システム。  
（構成４）  
前記第２サービスの前記第２ユーザへの提供は、前記第１ユーザの前記第１ユーザの個人情報を含まないで行われる、構成３記載のサービス提供システム。
（構成５）  
前記第１センサは、前記第１ユーザがイベントに参加しているときの、前記第１ユーザの身体の動き、前記第１ユーザの状態、及び、前記第１ユーザの声、の少なくともいずれかを検出する、構成１〜４のいずれか１つに記載のサービス提供システム。
（構成６）  
前記第１ユーザの保持物は、発光装置、旗状体、団扇状体、布状体、拡声器、マイクロフォン、腕輪、首輪、時計、指輪、眼鏡、衣服、靴、手袋、帽子、ヘッドホン、イヤホン、補聴器、アクセサリ、及び、スポーツ用具の少なくともいずれかを含む、構成５記載のサービス提供システム。  
（構成７）  
前記第１サービスは、
前記イベントに関する画像情報、
前記イベントに関する映像情報、
前記イベントに関する音楽情報、及び
前記イベントに関する音声情報
の少なくともいずれかを含む、構成５または６に記載のサービス提供システム。
（構成８）  
前記第１データを、評価項目に基づいて評価し、
前記評価の結果に基づいて前記第１サービスを変更し、
前記評価項目は、第１関連度と、第２関連度と、を含み、
前記第１関連度は、前記イベントで提供される、音楽及び映像の少なくともいずれかを含む提供情報と、前記第１データと、の間の相関を含み、
前記第２関連度は、前記イベントに参加する第２ユーザの、前記イベントに関する行動に関する第２データと、前記第１データと、の間の相関を含む、構成５〜７のいずれか１つに記載のサービス提供システム。
（構成９）  
前記第１コンテクスト情報を、評価項目に基づいて評価し、
前記評価の結果に基づいて前記第１サービスを変更する、構成１〜８のいずれか１つに記載のサービス提供システム。
（構成１０）  
前記第１サービスは、
前記第１コンテクスト情報に基づいて作成された第１画像情報、
前記評価の前記結果に基づいて作成された第２画像情報、
の少なくともいずれかを含む、構成９記載のサービス提供システム。
（構成１１）  
前記第１サービスの前記第１ユーザへの前記提供は、
前記第１ユーザに提供される情報への前記第１ユーザによるアクセスを可能にすることを含む、構成１〜１０のいずれか１つに記載のサービス提供システム。
（構成１２）
イベントに参加する第１参加者に保持され、前記イベントに前記第１参加者が参加しているときの、前記第１参加者の第１身体の動き、前記第１身体の状態、及び、前記第１参加者の声、の少なくともいずれかを検出する第１センサと、
前記検出した結果を送信し前記結果に基づいた第１サービスを受信して前記第１サービスを前記第１参加者に提供する第１通信部と、
を備えたサービス提供装置。
（構成１３）  
イベントに参加する第１参加者に保持され、前記イベントに前記第１参加者が参加しているときの、前記第１参加者の第１身体の動き、前記第１身体の状態、及び、前記第１参加者の声、の少なくともいずれかを検出する第１センサと、
前記検出した結果に基づいた第１サービスを前記第１参加者に提供する提供部と、
を備えたサービス提供装置。
（構成１４）  
イベントに参加しているときの第１参加者の第１身体の動き、前記第１身体の状態、及び、前記第１参加者の声、の少なくともいずれかを含み、前記第１参加者の画像データ、及び、前記第１参加者の声データから検出された前記第１参加者の第１行動情報に基づいて、前記第１参加者に保持される保持物に設けられた記憶部にアクセス制限状態で記憶された第１サービスに関する情報のアクセス許可信号を、前記第１参加者に提供する提供部を備えた、サービス提供装置。
（構成１５）  
ニックネームを入手し、
前記ニックネームに対応するユーザに提供された第１サービスの第１サービス認識情報と、前記ユーザが前記第１サービスに関して行った第１行動情報と、を含む第１セット情報を前記ニックネームと関連づけて保存するデータ構築方法。
（構成１６）  
前記ユーザに提供された第２サービスの第２サービス認識情報と、前記ユーザが前記第２サービスに関して行った第２行動情報と、を含む第２セット情報を前記ニックネームと関連づけてさらに保存する構成１５記載のデータ構築方法。
（構成１７）  
前記第１サービスは、前記ユーザが参加可能な第１イベントを含む、構成１５または１６に記載のデータ構築方法。
（構成１８）  
前記第１行動情報は、前記ユーザが入手し前記第１サービスに関する物品に関する物品情報を含む、構成１７記載のデータ構築方法。
（構成１９）  
前記第１行動情報は、前記ユーザが前記第１イベントに参加しているときの、前記ユーザの身体の動き、前記ユーザの状態、及び、前記ユーザの声、の少なくともいずれかに関する情報を含む、構成１７または１８に記載のデータ構築方法。
（構成２０）  
前記ニックネームは、前記ユーザの個人情報を含まない、構成１５〜１９のいずれか１つに記載のデータ構築方法。
【０３１３】
実施形態によれば、楽しさをより提供できるサービス提供システム、サービス提供装置及びデータ構築方法が提供できる。
【０３１４】
以上、具体例を参照しつつ、本発明の実施の形態について説明した。しかし、本発明は、これらの具体例に限定されるものではない。例えば、サービス提供システム及びサービス提供装置に含まれる取得部、提供部、保持物、撮像部、マイクロフォン、入手部、センサ、バッテリ、処理装置、メモリ及び通信装置などの各要素の具体的な構成に関しては、当業者が公知の範囲から適宜選択することにより本発明を同様に実施し、同様の効果を得ることができる限り、本発明の範囲に包含される。
【０３１５】
また、各具体例のいずれか２つ以上の要素を技術的に可能な範囲で組み合わせたものも、本発明の要旨を包含する限り本発明の範囲に含まれる。
【０３１６】
その他、本発明の実施の形態として上述したサービス提供システム及びサービス提供装置を基にして、当業者が適宜設計変更して実施し得る全てのサービス提供システム及びサービス提供装置も、本発明の要旨を包含する限り、本発明の範囲に属する。
【０３１７】
その他、本発明の思想の範疇において、当業者であれば、各種の変更例及び修正例に想到し得るものであり、それら変更例及び修正例についても本発明の範囲に属するものと了解される。
【０３１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０３１９】
１０…取得部、
１１…撮像部、
１２…マイクロフォン、
１５…入手部、
２０…提供部、
３０…保持物、
３０ａ…発光装置、
３０ａｐ…発光部、
３０ａｑ…導光体、
３０ａｒ…筐体、
３０ｂ…旗状体、
３０ｃ…扇状体、
３０ｄ…布状体、
３０ｅ…拡声器、
３０ｆ…マイクロフォン、
３０ｇ…腕輪、
３０ｈ…首輪、
３０ｉ…時計、
３０ｊ…指輪、
３０ｋ…眼鏡、
３０ｌ…衣服、
３０ｍ…靴、
３０ｎ…手袋、
３０ｏ…帽子、
３１…第１センサ、
３１ａ…バッテリ、
３１ｂ…第１処理装置、
３１ｃ…第１通信部、
３１ｄ…第１メモリ（記憶部）、
３１ｐ…提供部、
４０…情報端末機器、
７０…記憶部、
７０Ｄ…データ、
８０…ユーザ、
８０ｎ…ニックネーム、
８１…第１参加者、
８１ｂ…第１身体、
８１ｉ…第１行動情報、
８１ｎ…第１ニックネーム、
８１ｓ…第１サービス、
８２…第２参加者、
８２ｉ…第２行動情報、
８２ｎ…第２ニックネーム、
８２ｓ…第２サービス、
８５…パフォーマ、
１１０、１１１…サービス提供システム、
２１０〜２１２…サービス提供装置、
３００…グッズ、
３１０…センシングデバイス、
３２１、３２２…第１、第２イベント、
３２３、３２４…商品、
３５０…クラウド、
３５１…クラウドサーバ、
３６０…管理アップリケーションソフトウエア、
３６１…現実ＵＸ、
３６２…仮想ＵＸ、
３７０…提供者、
３７０ａ…認定、
３７０ｂ…サービス、
３７０ｃ…広告、
３７０ｄ…サービス、
３７０ｅ…ビジネスデータ、
３７０ｆ…消費者データ、
３７５…特別な物、
３７６…アプリケーションソフトウエア、
３７７…特別なアプリケーションソフトウエア、
３８０…ユーザ、
３８０ＩＤ…ペルソナＩＤ、
３８０ａ…消費者データ、
３８０ｄ…データ、
３８１〜３８３…第１〜第３ユーザ、
３８１ＩＤ〜３８３ＩＤ…第１〜第３ＩＤ、
３８５…パフォーマ、
３９１…グッズ販売者。
３９２…コミュニティ運営者
３９２ａ…ソーシャルネットワークサービス、
３９２ｂ…コンテンツ及び物品、
３９２ｃ…広告、
３９２ｄ…公認、
３９２ｅ…ビジネスデータ、
３９２ｆ…消費者データ、
３９３…広告者、
３９４…イベント開催者、
３９５…事業者、
３９５ａ…合成データ、
３９５ｂ…画像解析、
３９５ｃ…データ解析、
３９５ｄ…音声合成、
５１０…サービス提供システム、
ＤＡ００…行動情報
ＤＡ０１、ＤＡ０２…第１、第２行動情報、
ＤＳ００…サービス認識情報、
ＤＳ０１、ＤＳ０２…サービス認識情報、
ＤＳＥＴ００…セット情報、
ＤＳＥＴ０１、ＤＳＥＴ０２…第１、第２セット情報、
ＤＳＥＴ８１、ＤＳＥＴ８２…セット情報、
Ｅ１…シンクロ度、
Ｅ２…シンクロ度、
Ｅ３…完成度、
Ｅ４…熱中度、
Ｅ５…貢献度、
Ｅ６…協力度、
ＥＸ１〜ＥＸ３…第１〜第３例、
ＭＴ…モチベーション、
Ｓ００…サービス、
Ｓ０１、Ｓ０２…第１、第２サービス
Ｓ１１０〜Ｓ１３０…ステップ、
ＳＴ０１〜ＳＴ０４…ステップ、
ＵＸ３６１…現実ＵＸ、
ＵＸ３６２…仮想ＵＸ、
ｔ…時間、
ｔ１〜ｔ７…第１〜第７時間
【図１】
2016143800.tif 000003
【図２】
2016143800.tif 000004
【図３】
2016143800.tif 000005
【図４】
2016143800.tif 000006
【図５】
2016143800.tif 000007
【図６】
2016143800.tif 000008
【図７】
2016143800.tif 000009
【図８】
2016143800.tif 000010
【図９】
2016143800.tif 000011
【図１０】
2016143800.tif 000012
【図１１】
2016143800.tif 000013
【図１２】
2016143800.tif 000014
【図１３】
2016143800.tif 000015
【図１４】
2016143800.tif 000016
【図１５】
2016143800.tif 000017
【図１６】
2016143800.tif 000018
【国際調査報告】
2016143800.tif 000019
2016143800.tif 000020
2016143800.tif 000021
2016143800.tif 000022